(57)【要約】  ワイヤレス通信のための方法、システム、およびデバイスについて説明する。送信デバイスは、受信デバイスとの通信に使用されるスロットの持続時間を特定し得る。送信デバイスは、受信デバイスとの通信が周波数分割複信（ＦＤＤ）通信を備えると決定し得る。送信デバイスは、スロットの第１の部分の間に受信デバイスに通信を送信し得、第１の部分の持続時間は、スロットの持続時間よりも短く、第１の部分の持続時間は、通信がＦＤＤ通信を備えるとの決定に少なくとも部分的に基づく。送信デバイスは、通信がＦＤＤ通信を備え、通信がスロットの第１の部分の間に送信されるとの決定に少なくとも部分的に基づいて、通信の間に使用すべきハイブリッド自動再送要求（ＨＡＲＱ）方式を選択し得る。
2020523840.tif 000002
【特許請求の範囲】
【請求項１】
ワイヤレス通信のための方法であって、
受信デバイスとの通信に使用されるスロットの持続時間を特定することと、
前記受信デバイスとの前記通信が周波数分割複信（ＦＤＤ）通信を備えると決定することと、
前記スロットの第１の部分の間に前記受信デバイスに通信を送信することと、前記第１の部分の持続時間が、前記スロットの前記持続時間よりも短く、前記第１の部分の前記持続時間が、前記通信がＦＤＤ通信を備えるとの前記決定に少なくとも部分的に基づく、
前記通信がＦＤＤ通信を備え、前記通信が前記スロットの前記第１の部分の間に送信されるとの前記決定に少なくとも部分的に基づいて、前記通信の間に使用すべきハイブリッド自動再送要求（ＨＡＲＱ）方式を選択することとを備える方法。
【請求項２】
前記スロットの第２の部分の間にＨＡＲＱフィードバックメッセージを受信することに少なくとも部分的に基づいて前記スロットの前記第２の部分の持続時間を選択することをさらに備える、請求項１に記載の方法。
【請求項３】
前記スロットの第２の部分の間の通信のためのミニスロットを構成することをさらに備える、請求項１に記載の方法。
【請求項４】
前記ミニスロットの間の前記通信は、前記受信デバイスまたは異なる受信デバイスの通信用である、請求項３に記載の方法。
【請求項５】
前記ミニスロットは、前記スロットの前記第２の部分の持続時間と実質的に同じである関連する持続時間を有する、請求項３に記載の方法。
【請求項６】
前記スロットの前記第１の部分の間に送信される前記通信および前記ミニスロットを多重化すること、ここにおいて、前記多重化が時分割多重化を備える、をさらに備える、請求項３に記載の方法。
【請求項７】
前記スロットの前記第１の部分は、時間的に前記スロットの前記第２の部分に先行する、請求項３に記載の方法。
【請求項８】
前記スロットの前記第２の部分は、時間的に前記スロットの前記第１の部分に先行する、請求項３に記載の方法。
【請求項９】
前記ＨＡＲＱ方式に少なくとも部分的に基づいて、前記スロットの第２の部分の間に前記受信デバイスからＨＡＲＱフィードバックメッセージを受信することをさらに備える、請求項１に記載の方法。
【請求項１０】
前記スロットが時分割複信（ＴＤＤ）通信プロトコルに従って構成されていると決定すること、ここにおいて、前記スロットの第２の部分が、前記ＴＤＤ通信プロトコルに少なくとも部分的に基づいて選択される、をさらに備える、請求項１に記載の方法。
【請求項１１】
前記スロットの前記第１の部分の間に、前記受信デバイスからの通信を受信することと、
前記ＨＡＲＱ方式に従って、前記スロットの第２の部分の間に前記受信デバイスにＨＡＲＱメッセージを送信することと、前記ＨＡＲＱメッセージが、前記受信された通信に少なくとも部分的に基づいて送信される、をさらに備える、請求項１に記載の方法。
【請求項１２】
前記ＨＡＲＱ方式は、前記スロットの間にＨＡＲＱフィードバックメッセージを通信することを備える、請求項１に記載の方法。
【請求項１３】
前記ＨＡＲＱ方式は、時間的に前記スロットに続いて生じるスロットの間にＨＡＲＱフィードバックメッセージを通信することを備える、請求項１に記載の方法。
【請求項１４】
前のスロットにおけるデータ送信が前記前のスロットの全持続時間にわたって送信されたと決定することと、
前記ＨＡＲＱ方式に少なくとも部分的に基づいて、前記スロットの間の制御チャネルの送信を遅延させることとをさらに備える、請求項１に記載の方法。
【請求項１５】
前記スロットの前記第１の部分の間に許可メッセージを送信することをさらに備える、請求項１に記載の方法。
【請求項１６】
前記受信デバイスとの前記通信は、アップリンク通信を備える、請求項１に記載の方法。
【請求項１７】
前記受信デバイスとの前記通信は、ダウンリンク通信を備える、請求項１に記載の方法。
【請求項１８】
利用可能なＨＡＲＱ方式のプールを示す信号を受信すること、ここにおいて、前記選択されるＨＡＲＱ方式が、利用可能なＨＡＲＱ方式の前記プールから得られる、をさらに備える、請求項１に記載の方法。
【請求項１９】
前記信号は、無線リソース制御信号を備える、請求項１８に記載の方法。
【請求項２０】
ワイヤレス通信のための装置であって、
受信デバイスとの通信に使用されるスロットの持続時間を特定するための手段と、
前記受信デバイスとの前記通信が周波数分割複信（ＦＤＤ）通信を備えると決定するための手段と、
前記スロットの第１の部分の間に前記受信デバイスに通信を送信するための手段と、前記第１の部分の持続時間が、前記スロットの前記持続時間よりも短く、前記第１の部分の前記持続時間が、前記通信がＦＤＤ通信を備えるとの前記決定に少なくとも部分的に基づく、
前記通信がＦＤＤ通信を備え、前記通信が前記スロットの前記第１の部分の間に送信されるとの前記決定に少なくとも部分的に基づいて、前記通信の間に使用すべきハイブリッド自動再送要求（ＨＡＲＱ）方式を選択するための手段とを備える装置。
【請求項２１】
前記スロットの第２の部分の間にＨＡＲＱフィードバックメッセージを受信することに少なくとも部分的に基づいて前記スロットの前記第２の部分の持続時間を選択するための手段をさらに備える、請求項２０に記載の装置。
【請求項２２】
前記スロットの第２の部分の間の通信のためのミニスロットを構成するための手段をさらに備える、請求項２０に記載の装置。
【請求項２３】
前記ミニスロットの間の前記通信は、前記受信デバイスまたは異なる受信デバイスの通信用である、請求項２２に記載の装置。
【請求項２４】
前記ミニスロットは、前記スロットの前記第２の部分の持続時間と実質的に同じである関連する持続時間を有する、請求項２２に記載の装置。
【請求項２５】
前記スロットの前記第１の部分の間に送信される前記通信および前記ミニスロットを多重化するための手段、ここにおいて、前記多重化が時分割多重化を備える、をさらに備える、請求項２２に記載の装置。
【請求項２６】
前記スロットの前記第１の部分は、時間的に前記スロットの前記第２の部分に先行する、請求項２２に記載の装置。
【請求項２７】
前記スロットの前記第２の部分は、時間的に前記スロットの前記第１の部分に先行する、請求項２２に記載の装置。
【請求項２８】
前記ＨＡＲＱ方式に少なくとも部分的に基づいて、前記スロットの第２の部分の間に前記受信デバイスからＨＡＲＱフィードバックメッセージを受信するための手段をさらに備える、請求項２０に記載の装置。
【請求項２９】
ワイヤレス通信のための装置であって、
プロセッサと、
前記プロセッサと電子通信しているメモリと、
前記メモリに記憶され、前記装置に、
受信デバイスとの通信に使用されるスロットの持続時間を特定することと、
前記受信デバイスとの前記通信が周波数分割複信（ＦＤＤ）通信を備えると決定することと、
前記スロットの第１の部分の間に前記受信デバイスに通信を送信することと、前記第１の部分の持続時間が、前記スロットの前記持続時間よりも短く、前記第１の部分の前記持続時間が、前記通信がＦＤＤ通信を備えるとの前記決定に少なくとも部分的に基づく、
前記通信がＦＤＤ通信を備え、前記通信が前記スロットの前記第１の部分の間に送信されるとの前記決定に少なくとも部分的に基づいて、前記通信の間に使用すべきハイブリッド自動再送要求（ＨＡＲＱ）方式を選択することとを行わせるように前記プロセッサによって実行可能である命令とを備える装置。
【請求項３０】
ワイヤレス通信のためのコードを記憶している非一時的コンピュータ可読媒体であって、前記コードは、
受信デバイスとの通信に使用されるスロットの持続時間を特定することと、
前記受信デバイスとの前記通信が周波数分割複信（ＦＤＤ）通信を備えると決定することと、
前記スロットの第１の部分の間に前記受信デバイスに通信を送信することと、前記第１の部分の持続時間が、前記スロットの前記持続時間よりも短く、前記第１の部分の前記持続時間が、前記通信がＦＤＤ通信を備えるとの前記決定に少なくとも部分的に基づく、
前記通信がＦＤＤ通信を備え、前記通信が前記スロットの前記第１の部分の間に送信されるとの前記決定に少なくとも部分的に基づいて、前記通信の間に使用すべきハイブリッド自動再送要求（ＨＡＲＱ）方式を選択することとを行うためにプロセッサによって実行可能である命令を備える、非一時的コンピュータ可読媒体。
【発明の詳細な説明】
【技術分野】
【０００１】
相互参照
[0001]本特許出願は、２０１８年６月７日に出願された、「Ｆｒｅｑｕｅｎｃｙ  Ｄｉｖｉｓｉｏｎ  Ｄｕｐｌｅｘｉｎｇ  Ｈｙｂｒｉｄ  Ａｕｔｏｍａｔｉｃ  Ｒｅｐｅａｔ  Ｒｅｑｕｅｓｔ  ｗｉｔｈ  Ｍｉｎｉ−Ｓｌｏｔｓ」という名称のＬｅｅらによる米国特許出願第１６／００２２３６号、および２０１７年６月９日に出願された、「Ｆｒｅｑｕｅｎｃｙ  Ｄｉｖｉｓｉｏｎ  Ｄｕｐｌｅｘｉｎｇ  Ｈｙｂｒｉｄ  Ａｕｔｏｍａｔｉｃ  Ｒｅｐｅａｔ  Ｒｅｑｕｅｓｔ  ｗｉｔｈ  Ｍｉｎｉ−Ｓｌｏｔｓ」という名称のＬｅｅらによる米国仮特許出願第６２／５１７８４５号の優先権を主張する。これらの出願の各々が、本出願の譲受人に譲渡され、本明細書に明確に組み込まれる。
【０００２】
[0002]以下は、一般にワイヤレス通信に関し、より詳細には、ミニスロットによる（with）周波数分割複信（ＦＤＤ）ハイブリッド自動再送要求（ＨＡＲＱ）に関する。
【背景技術】
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システムまたは新無線（ＮＲ）システム）がある。ワイヤレス多元接続通信システムは、別名ユーザ機器（ＵＥ）として知られていることがある、複数の通信デバイスのための通信を各々が同時にサポートする、いくつかの基地局またはアクセスネットワークノードを含み得る。
【０００４】
[0004]いくつかの（Certain）ワイヤレス通信システムは、様々な多重化技法を使用して多元接続動作をサポートすることがある。たとえば、いくつかのワイヤレス通信システムは、主として時分割複信（ＴＤＤ）多重化のために構成され得る。そのようなＴＤＤ構成システムは、通信情報、たとえば、制御情報、データなど用にダウンリンク中心スロット構成、アップリンク中心スロット構成、ダウンリンク専用スロット構成、およびアップリンク専用スロット構成を使用することがある。そのようなＴＤＤ構成システムは、情報が受信されたスロットに続くスロットにおいてＨＡＲＱフィードバック情報（たとえば、肯定／否定応答（ＡＣＫ／ＮＡＣＫ）情報）を送信することを含むＨＡＲＱプロセスを使用することがある。これによって一般に、これらのＴＤＤ構成ワイヤレス通信システムにおけるレイテンシが増大する。
【発明の概要】
【０００５】
[0005]ワイヤレス通信の方法について説明する。この方法は、受信デバイスとの通信に（for）使用されるスロットの持続時間（duration）を特定することと、受信デバイスとの通信がＦＤＤ通信を備えると決定することと、スロットの第１の部分の間に受信デバイスに通信を送信することと、第１の部分の持続時間がスロットの持続時間よりも短く、第１の部分の持続時間が、通信がＦＤＤ通信を備えるとの決定に少なくとも部分的に基づく、通信がＦＤＤ通信を備え、通信がスロットの第１の部分の間に送信されるとの決定に少なくとも部分的に基づいて、通信の間に使用すべきＨＡＲＱ方式を選択することとを含み得る。
【０００６】
[0006]ワイヤレス通信のための装置について説明する。この装置は、受信デバイスとの通信に使用されるスロットの持続時間を特定するための手段と、受信デバイスとの通信がＦＤＤ通信を備えると決定するための手段と、スロットの第１の部分の間に受信デバイスに通信を送信するための手段と、第１の部分の持続時間がスロットの持続時間よりも短く、第１の部分の持続時間が、通信がＦＤＤ通信を備えるとの決定に少なくとも部分的に基づく、通信がＦＤＤ通信を備え、通信がスロットの第１の部分の間に送信されるとの決定に少なくとも部分的に基づいて、通信の間に使用すべきＨＡＲＱ方式を選択するための手段とを含み得る。
【０００７】
[0007]ワイヤレス通信のための別の装置について説明する。本装置は、プロセッサと、プロセッサと電子（electronic）通信しているメモリと、メモリに記憶された命令とを含み得る。命令は、プロセッサに、受信デバイスとの通信に使用されるスロットの持続時間を特定することと、受信デバイスとの通信がＦＤＤ通信を備えると決定することと、スロットの第１の部分の間に受信デバイスに通信を送信することと、第１の部分の持続時間がスロットの持続時間よりも短く、第１の部分の持続時間が、通信がＦＤＤ通信を備えるとの決定に少なくとも部分的に基づく、通信がＦＤＤ通信を備え、通信がスロットの第１の部分の間に送信されるとの決定に少なくとも部分的に基づいて、通信の間に使用すべきＨＡＲＱ方式を選択することとを行わせるように動作可能であってもよい。
【０００８】
[0008]ワイヤレス通信のための非一時的コンピュータ可読媒体について説明する。この非一時的コンピュータ可読媒体は、プロセッサに、受信デバイスとの通信に使用されるスロットの持続時間を特定することと、受信デバイスとの通信がＦＤＤ通信を備えると決定することと、スロットの第１の部分の間に受信デバイスに通信を送信することと、第１の部分の持続時間がスロットの持続時間よりも短く、第１の部分の持続時間が、通信がＦＤＤ通信を備えるとの決定に少なくとも部分的に基づき、通信がＦＤＤ通信を備え、通信がスロットの第１の部分の間に送信されるとの決定に少なくとも部分的に基づいて、通信の間に使用すべきＨＡＲＱ方式を選択することとを行わせるように動作可能な命令を含み得る。
【０００９】
[0009]上記で説明した方法、装置、および非一時的コンピュータ可読媒体のいくつかの例は、スロットの第２の部分の間にＨＡＲＱフィードバックメッセージを受信することに少なくとも部分的に基づいて、スロットの第２の部分の持続時間を選択するためのプロセス、特徴、手段、または命令をさらに含み得る。
【００１０】
[0010]上記で説明した方法、装置、または非一時的コンピュータ可読媒体のいくつかの例は、スロットの第２の部分の間の通信のためのミニスロットを構成するためのプロセス、特徴、手段、または命令をさらに含み得る。
【００１１】
[0011]上記で説明した方法、装置、または非一時的コンピュータ可読媒体のいくつかの例では、ミニスロットの間の通信は、受信デバイスのためであっても、または異なる受信デバイスのためであってもよい。
【００１２】
[0012]上記で説明した方法、装置、または非一時的コンピュータ可読媒体のいくつかの例では、ミニスロットは、スロットの第２の部分についての持続時間と実質的に同じであってもよい関連する持続時間を有し得る。
【００１３】
[0013]上記で説明した方法、装置、または非一時的コンピュータ可読媒体のいくつかの例は、ミニスロットと、スロットの第１の部分の間に送信される通信とを多重化するためのプロセス、特徴、手段、または命令をさらに含み得、ここにおいて、多重化は、時分割多重化を備える。
【００１４】
[0014]上記で説明した方法、装置、および非一時的コンピュータ可読媒体のいくつかの例では、スロットの第１の部分は時間的にスロットの第２の部分に先行する。
【００１５】
[0015]上記で説明した方法、装置、および非一時的コンピュータ可読媒体のいくつかの例では、スロットの第２の部分は時間的にスロットの第１の部分に先行する。
【００１６】
[0016]上記で説明した方法、装置、および非一時的コンピュータ可読媒体のいくつかの例は、ＨＡＲＱ方式に少なくとも部分的に基づいて、スロットの第２の部分の間に受信デバイスからＨＡＲＱフィードバックメッセージを受信するためのプロセス、特徴、手段、または命令をさらに含み得る。
【００１７】
[0017]上記で説明した方法、装置、および非一時的コンピュータ可読媒体のいくつかの例は、スロットがＴＤＤ通信プロトコルに従って構成され得ると決定するためのプロセス、特徴、手段、または命令をさらに含み得、ここにおいて、スロットの第２の部分は、ＴＤＤ通信プロトコルに少なくとも部分的に基づいて選択され得る。
【００１８】
[0018]上記で説明した方法、装置、および非一時的コンピュータ可読媒体のいくつかの例は、スロットの第１の部分の間に受信デバイスから通信を受信するためのプロセス、特徴、手段、または命令をさらに含み得る。上記で説明した方法、装置、および非一時的コンピュータ可読媒体のいくつかの例は、ＨＡＲＱ方式に従って、スロットの第２の部分の間に受信デバイスにＨＡＲＱメッセージを送信するためのプロセス、特徴、手段、または命令をさらに含み得、ＨＡＲＱメッセージは、受信された通信に少なくとも部分的に基づいて送信される。
【００１９】
[0019]上記で説明した方法、装置、および非一時的コンピュータ可読媒体のいくつかの例では、ＨＡＲＱ方式は、スロットの間にＨＡＲＱフィードバックメッセージを通信することを備える。
【００２０】
[0020]上記で説明した方法、装置、および非一時的コンピュータ可読媒体のいくつかの例では、ＨＡＲＱ方式は、時間的に上記のスロットに続いて生じるスロットの間にＨＡＲＱフィードバックメッセージを通信することを備える。
【００２１】
[0021]上記で説明した方法、装置、または非一時的コンピュータ可読媒体のいくつかの例は、前のスロットにおけるデータ送信が前のスロットの全持続時間にわたって送信されたと決定するためのプロセス、特徴、手段、または命令をさらに含み得る。上記で説明した方法、装置、および非一時的コンピュータ可読媒体のいくつかの例は、ＨＡＲＱ方式に少なくとも部分的に基づいて、スロットの間制御チャネルの送信を遅延させるためのプロセス、特徴、手段、または命令をさらに含み得る。
【００２２】
[0022]上記で説明した方法、装置、または非一時的コンピュータ可読媒体のいくつかの例は、スロットの第１の部分の間に許可メッセージを送信するためのプロセス、特徴、手段、または命令をさらに含み得る。
【００２３】
[0023]上記で説明した方法、装置、または非一時的コンピュータ可読媒体のいくつかの例では、受信デバイスとの通信は、アップリンク通信を備える。
【００２４】
[0024]上記で説明した方法、装置、および非一時的コンピュータ可読媒体のいくつかの例では、受信デバイスとの通信は、ダウンリンク通信を備える。
【００２５】
[0025]上記で説明した方法、装置、および非一時的コンピュータ可読媒体のいくつかの例は、利用可能なＨＡＲＱ方式のプールを示す信号を受信するためのプロセス、特徴、手段、または命令をさらに含み得、ここにおいて、選択されるＨＡＲＱ方式は、利用可能なＨＡＲＱ方式のプールから得られる。上記で説明した方法、装置、および非一時的コンピュータ可読媒体のいくつかの例では、信号は、無線リソース制御信号を備える。
【図面の簡単な説明】
【００２６】
【図１】[0026]本開示の１つまたは複数の態様による、ミニスロットによるＦＤＤ  ＨＡＲＱをサポートするワイヤレス通信のためのシステムの一例を示す図。
【図２】[0027]本開示の１つまたは複数の態様による、ミニスロットによるＦＤＤ  ＨＡＲＱをサポートするプロセスの一例を示す図。
【図３】[0028]本開示の１つまたは複数の態様による、ミニスロットによるＦＤＤ  ＨＡＲＱをサポートするスロット構成の一例を示す図。
【図４】[0029]本開示の１つまたは複数の態様による、ミニスロットによるＦＤＤ  ＨＡＲＱをサポートするスロット構成の一例を示す図。
【図５】[0030]本開示の１つまたは複数の態様による、ミニスロットによるＦＤＤ  ＨＡＲＱをサポートするスロット構成の一例を示す図。
【図６】[0031]本開示の１つまたは複数の態様による、ミニスロットによるＦＤＤ  ＨＡＲＱをサポートするスロット構成の一例を示す図。
【図７】[0032]本開示の１つまたは複数の態様による、ミニスロットによるＦＤＤ  ＨＡＲＱをサポートするスロット構成の一例を示す図。
【図８】[0033]本開示の１つまたは複数の態様による、ミニスロットによるＦＤＤ  ＨＡＲＱをサポートするスロット構成の一例を示す図。
【図９】[0034]本開示の１つまたは複数の態様による、ミニスロットによるＦＤＤ  ＨＡＲＱをサポートするデバイスのブロック図。
【図１０】本開示の１つまたは複数の態様による、ミニスロットによるＦＤＤ  ＨＡＲＱをサポートするデバイスのブロック図。
【図１１】本開示の１つまたは複数の態様による、ミニスロットによるＦＤＤ  ＨＡＲＱをサポートするデバイスのブロック図。
【図１２】[0035]本開示の１つまたは複数の態様による、ミニスロットによるＦＤＤ  ＨＡＲＱをサポートするＵＥを含むシステムのブロック図。
【図１３】[0036]本開示の１つまたは複数の態様による、ミニスロットによるＦＤＤ  ＨＡＲＱをサポートする基地局を含むシステムのブロック図。
【図１４】[0037]本開示の１つまたは複数の態様による、ミニスロットによるＦＤＤ  ＨＡＲＱのための方法を示す図。
【図１５】本開示の１つまたは複数の態様による、ミニスロットによるＦＤＤ  ＨＡＲＱのための方法を示す図。
【図１６】本開示の１つまたは複数の態様による、ミニスロットによるＦＤＤ  ＨＡＲＱのための方法を示す図。
【発明を実施するための形態】
【００２７】
[0038]本開示の態様について、初めにワイヤレス通信システムのコンテキストにおいて説明する。一般に、本開示の態様は、改善されたレイテンシおよび性能を有するＨＡＲＱタイムラインをサポートするＴＤＤ構成ワイヤレス通信システムにおいてＦＤＤフレーミングの使用を可能にする（provide for）。たとえば、送信デバイス（たとえば、ＵＥおよび／または基地局）は、ＴＤＤ構成システムの時間整合のためにアップリンクおよび／またはダウンリンク通信において短縮された送信タイムラインを使用し得る。送信デバイスは、ＴＤＤ構成ワイヤレス通信システムにおける通信のために構成され得る。ＴＤＤ構成ワイヤレス通信システムは、スロットが所定の持続時間を有するワイヤレス通信に（たとえば、ＴＤＤ構成に従って）スロットを使用し得る。送信デバイスは、スロットの一部の間に情報を送信し得るが、スロットの第２の部分の間は通信を行わない（refrain from）。送信デバイスは、いくつかの例ではスロットの間、他の例では次のスロットにおいてＨＡＲＱフィードバックをサポートするＨＡＲＱ方式を採用し得る。いくつかの態様では、送信デバイスは、利用可能なＨＡＲＱ方式の構成されたプールからのＨＡＲＱ方式を採用し得る。いくつかの態様では、送信デバイスは、ミニスロットを多重化するために、スロットの未使用部分（たとえば、送信デバイスが送信を行っていない第２の部分）を使用し得る。ミニスロットは、受信デバイス（たとえば、スロットの第１の部分の間に通信を受信するデバイス）との通信および／または他の受信デバイス用に使用されるかまたはさもなければ割り振られ得る。
【００２８】
[0039]本開示の態様は、ミニスロットによるＦＤＤ  ＨＡＲＱに関係する装置図、システム図、およびフローチャートによってさらに示され、それらを参照しながら各態様について説明する。
【００２９】
[0040]図１は、本開示の１つまたは複数の態様による、ワイヤレス通信システム１００の一例を示す。ワイヤレス通信システム１００は、基地局１０５（たとえば、アクセスノードコントローラ１０５−ｂおよび／または無線ヘッド（ＲＨ）１０５−ｃを含むｇＮｏｄｅＢ（ｇＮＢ）１０５−ａ）と、ＵＥ１１５と、コアネットワーク１３０とを含む。いくつかの例では、ワイヤレス通信システム１００は、ＬＴＥ、ＬＴＥアドバンスト（ＬＴＥ−Ａ）ネットワーク、または新無線（ＮＲ）ネットワークであり得る。場合によっては、ワイヤレス通信システム１００は、拡張ブロードバンド通信、超高信頼（すなわち、ミッションクリティカル）通信、低レイテンシ通信、ならびに低コストおよび低複雑度デバイスを用いた通信をサポートし得る。
【００３０】
[0041]基地局１０５は、１つまたは複数の基地局アンテナを介してＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク送信、または基地局１０５からＵＥ１１５へのダウンリンク送信を含み得る。制御情報およびデータは、様々な技法に従ってアップリンクチャネルまたはダウンリンク上で多重化され得る。制御情報およびデータは、たとえば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルの送信時間間隔（ＴＴＩ）中に送信される制御情報は、カスケード方式で異なる制御領域間で（たとえば、共通制御領域と１つまたは複数のＵＥ固有制御領域との間で）配信され得る。
【００３１】
[0042]ＵＥ１１５は、ワイヤレス通信システム１００全体にわたって分散され得、各ＵＥ１１５は固定型または移動型であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５はまた、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ（ＷＬＬ）局、モノのインターネット（ＩｏＴ）デバイス、あらゆるモノのインターネット（ＩｏＥ：Internet of Everything）デバイス、マシンタイプ通信（ＭＴＣ）デバイス、機器、自動車などであり得る。
【００３２】
[0043]場合によっては、ＵＥ１１５は、（たとえば、ピアツーピア（Ｐ２Ｐ）またはデバイス間（Ｄ２Ｄ）プロトコルを使用して）他のＵＥと直接通信する（communicate directly）ことも可能であり得る。Ｄ２Ｄ通信を利用するＵＥ１１５のグループのうちの１つまたは複数が、セルのカバレージエリア１１０内にあり得る。そのようなグループ内の他のＵＥ１１５は、セルのカバレージエリア１１０の外にあり得るか、またはさもなければ、基地局１０５からの送信を受信することが不可能となり得る。場合によっては、Ｄ２Ｄ通信を介して通信するＵＥ１１５のグループは、各ＵＥ１１５がグループ中のあらゆる他のＵＥ１１５に送信する１対多（１：Ｍ）システムを利用し得る。場合によっては、基地局１０５が、Ｄ２Ｄ通信のためのリソースのスケジューリングを促進する。他の場合には、Ｄ２Ｄ通信は基地局１０５とは無関係に実行される。
【００３３】
[0044]ＭＴＣデバイスまたはＩｏＴデバイスなど、いくつかのＵＥ１１５は、低コストまたは低複雑度デバイスであり得、マシン間の自動通信、すなわち、マシンツーマシン（Ｍ２Ｍ）通信を与え得る。Ｍ２ＭまたはＭＴＣは、デバイスが人間の介入なしに互いにまたは基地局と通信することを可能にするデータ通信技術を指すことがある。たとえば、Ｍ２ＭまたはＭＴＣは、センサーまたはメーターを組み込んで情報を測定またはキャプチャし、情報を利用することができる中央サーバまたはアプリケーションプログラムにその情報を中継するか、またはプログラムもしくはアプリケーションと対話している人間に情報を提示するデバイスからの通信を指すことがある。いくつかのＵＥ１１５は、情報を収集するか、またはマシンの自動化された挙動を可能にするように設計され得る。ＭＴＣデバイスのための適用の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネス課金を含む。
【００３４】
[0045]場合によっては、ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。場合によっては、ＭＴＣまたはＩｏＴデバイスは、ミッションクリティカル機能をサポートするように設計され得、ワイヤレス通信システムは、これらの機能に超高信頼通信を提供するように構成され得る。
【００３５】
[0046]基地局１０５は、ＵＥ１１５との通信のための無線構成およびスケジューリングを実施し得るか、または基地局コントローラ（図示せず）の制御下で動作し得る。いくつかの例では、基地局１０５は、マクロセル、スモールセル、ホットスポットなどであり得る。
【００３６】
[0047]基地局１０５はＳ１インターフェースによってコアネットワーク１３０に接続され得る。コアネットワークは、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る発展型パケットコア（ＥＰＣ）であり得る。ＭＭＥは、ＵＥ１１５とＥＰＣとの間のシグナリングを処理する制御ノードであり得る。すべてのユーザインターネットプロトコル（ＩＰ）パケットはＳ−ＧＷを通して転送され得、Ｓ−ＧＷ自体はＰ−ＧＷに接続され得る。Ｐ−ＧＷは、ＩＰアドレス割振りならびに他の機能を提供し得る。Ｐ−ＧＷはネットワーク事業者ＩＰサービスに接続され得る。事業者ＩＰサービスは、インターネット、イントラネット、ＩＰマルチメディアサブシステム（ＩＭＳ）、およびパケット交換（ＰＳ）ストリーミングサービスを含み得る。
【００３７】
[0048]ワイヤレス通信システム１００は、いくつかのネットワーク（たとえば、ワイヤレスローカルエリアネットワーク（ＷＬＡＮ））が４ＧＨｚ程度の高い周波数を使用することがあるが、７００ＭＨｚから２６００ＭＨｚ（２．６ＧＨｚ）までの周波数帯域を使用する極超短波（ＵＨＦ）周波数領域において動作し得る。この領域は、波長が長さで約１デシメートルから１メートルにわたるので、デシメートル帯域として知られることもある。ＵＨＦ波は、主に見通し線によって伝搬し得、建築物および環境的特徴によってブロックされ得る。しかしながら、波は、屋内に位置するＵＥ１１５にサービスを提供するのに十分に壁を透過し得る。ＵＨＦ波の送信は、スペクトルの短波（ＨＦ）または超短波（ＶＨＦ）部分のより小さい周波数（およびより長い波）を使用する送信と比較して、より小さいアンテナおよびより短い範囲（たとえば、１００ｋｍ未満）によって特徴づけられる。場合によっては、ワイヤレス通信システム１００は、スペクトルの極高周波（ＥＨＦ）部分（たとえば、３０ＧＨｚから３００ＧＨｚまで）をも利用し得る。この領域は、波長が長さで約１ミリメートルから１センチメートルにわたるので、ミリメートル帯域として知られることもある。したがって、ＥＨＦアンテナは、ＵＨＦアンテナよりも一層小さくなり、より近接して離間され得る。場合によっては、これは、（たとえば、指向性ビームフォーミングのために）ＵＥ１１５内でアンテナアレイの使用を容易にし得る。しかしながら、ＥＨＦ送信は、ＵＨＦ送信よりも一層大きい大気減衰およびより短い範囲に支配され得る。
【００３８】
[0049]このようにして、ワイヤレス通信システム１００は、ＵＥ１１５と基地局１０５との間のミリメートル波（ｍｍＷ）通信をサポートし得る。ｍｍＷまたはＥＨＦ帯域において動作するデバイスは、ビームフォーミングを可能にするために複数のアンテナを有し得る。すなわち、基地局１０５は、ＵＥ１１５との指向性通信のためのビームフォーミング演算を行うために複数のアンテナまたはアンテナアレイを使用し得る。ビームフォーミング（空間フィルタ処理または指向性送信と呼ばれることもある）は、全体的なアンテナビームをターゲット受信機（たとえば、ＵＥ１１５）の方向に整形および／またはステアリングするために送信機（たとえば、基地局１０５）において使用され得る信号処理技法である。これは、特定の角度において送信される信号が強め合う干渉を経験しながら、他の信号が弱め合う干渉を経験するような仕方でアンテナアレイ中の要素を組み合わせることによって達成され得る。
【００３９】
[0050]多入力多出力（ＭＩＭＯ）ワイヤレスシステムは、送信機（たとえば、基地局１０５）と受信機（たとえば、ＵＥ１１５）との間で送信方式を使用し、ここで、送信機と受信機の両方が複数のアンテナを装備する。ワイヤレス通信システム１００のいくつかの部分はビームフォーミングを使用し得る。たとえば、基地局１０５は、基地局１０５がＵＥ１１５とのそれの通信においてビームフォーミングのために使用し得る、アンテナポートのいくつかの行および列をもつアンテナアレイを有し得る。信号は異なる方向に複数回送信され得る（たとえば、各送信は別様にビームフォーミングされ得る）。ｍｍＷ受信機（たとえば、ＵＥ１１５）は、同期信号を受信しながら、複数のビーム（たとえば、アンテナサブアレイ）を試み得る。
【００４０】
[0051]場合によっては、基地局１０５またはＵＥ１１５のアンテナは、ビームフォーミングまたはＭＩＭＯ演算をサポートし得る、１つまたは複数のアンテナアレイ内に位置し得る。１つまたは複数の基地局アンテナまたはアンテナアレイが、アンテナ塔などのアンテナアセンブリにおいてコロケートされ得る。場合によっては、基地局１０５に関連するアンテナまたはアンテナアレイが、多様な地理的ロケーションに位置し得る。基地局１０５は、ＵＥ１１５との指向性通信のためのビームフォーミング演算を行うためにアンテナまたはアンテナアレイを複数使用し得る。
【００４１】
[0052]場合によっては、ワイヤレス通信システム１００は、階層化プロトコルスタックに従って動作するパケットベースネットワークであり得る。ユーザプレーンでは、ベアラまたはＰＤＣＰレイヤにおける通信はＩＰベースであり得る。場合によっては、ＲＬＣレイヤが、論理チャネル上で通信するために、パケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにＨＡＲＱを使用し得る。制御プレーンにおいて、ＲＲＣプロトコルレイヤは、ユーザプレーンデータのための無線ベアラをサポートする、ＵＥ１１５とネットワークデバイス１０５−ｃ、ネットワークデバイス１０５−ｂ、またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００４２】
[0053]ＬＴＥまたはＮＲにおける時間間隔は、基本時間単位（たとえば、Ｔs＝１／３０，７２０，０００秒のサンプリング周期であってもよい）の倍数単位で表され得る。時間リソースは、０から１０２３にわたるシステムフレーム番号（ＳＦＮ）によって識別され得る、１０ｍｓの長さの無線フレーム（Ｔf＝３０７２００Ｔsに従って編成され得る。各フレームは、０から９までの番号を付けられた１０個の１ｍｓサブフレームを含む場合がある。サブフレームは、その各々が（各シンボルにプリペンドされたサイクリックプレフィックスの長さに応じて）６つまたは７つの変調シンボル期間を含んでいる、２つの．５ｍｓスロットにさらに分割され得る。サイクリックプレフィックスを除いて、各シンボルは２０４８個のサンプル期間を含んでいる。いくつかのケースでは、サブフレームは、ＴＴＩとしても知られる最小のスケジューリング単位であり得る。他のケースでは、ＴＴＩは、サブフレームよりも短い場合があるか、または（たとえば、短いＴＴＩバースト内で、もしくは短いＴＴＩを使用する選択されたコンポーネントキャリア内で）動的に選択される場合がある。
【００４３】
[0054]リソース要素は、１つのシンボル期間と、１つのサブキャリア（たとえば、１５ＫＨｚの周波数範囲）とからなり得る。リソースブロックは、周波数領域中に１２個の連続するサブキャリアを含んでおり、各ＯＦＤＭシンボル中のノーマルサイクリックプレフィックスについて、時間領域（１つのスロット）中に７つの連続するＯＦＤＭシンボルを含んでおり、すなわち８４個のリソース要素を含んでいることがある。各リソース要素によって搬送されるビット数は、変調方式（各シンボル期間中に選択され得るシンボルの構成）に依存し得る。したがって、ＵＥが受信するリソースブロックが多いほど、また変調方式が高いほど、データレートは高くなり得る。
【００４４】
[0055]ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのための、複数のダウンリンクＣＣと１つまたは複数のアップリンクＣＣとで構成され得る。キャリアアグリゲーションは、周波数分割複信（ＦＤＤ）コンポーネントキャリアと時分割複信（ＴＤＤ）コンポーネントキャリアの両方とともに使用され得る。
【００４５】
[0056]いくつかの場合には、ワイヤレス通信システム１００は拡張コンポーネントキャリア（ｅＣＣ）を利用し得る。ｅＣＣは、より広い帯域幅、より短いシンボル持続時間、より短いＴＴＩ、および変更された制御チャネル構成を含む、１つまたは複数の特徴によって特徴づけられ得る。いくつかの場合には、ｅＣＣは、（たとえば、複数のサービングセルが準最適または非理想バックホールリンクを有するときに）キャリアアグリゲーション構成またはデュアル接続性構成に関連付けられ得る。ｅＣＣはまた、（２つ以上の事業者がスペクトルを使用することを認可された場合）無認可スペクトルまたは共有スペクトルにおいて使用するために構成され得る。広い帯域幅によって特徴づけられるｅＣＣは、帯域幅全体を監視することが可能でないか、または（たとえば、電力を節約するために）限られた帯域幅を使用することを希望するＵＥ１１５によって利用され得る１つまたは複数のセグメントを含み得る。
【００４６】
[0057]場合によっては、ｅＣＣは、他のＣＣとは異なるシンボル持続時間を利用し得、これは、他のＣＣのシンボル持続時間と比較して低減されたシンボル持続時間の使用を含み得る。より短いシンボル持続時間は、増加したサブキャリア間隔に関連付けられる。ｅＣＣを利用する、ＵＥ１１５または基地局１０５などのデバイスは、短縮されたシンボル持続時間（たとえば、１６．６７マイクロ秒）において広帯域信号（たとえば、２０、４０、６０、８０ＭＨｚなど）を送信し得る。ｅＣＣ中のＴＴＩは、１つまたは複数のシンボルからなり得る。場合によっては、ＴＴＩ継続時間（すなわち、ＴＴＩ中のシンボルの数）は可変であり得る。
【００４７】
[0058]ＮＲ共有スペクトルシステムにおいて共有無線周波数スペクトル帯域が利用され得る。たとえば、ＮＲ共有スペクトルは、特に認可スペクトル、共有スペクトル、および無認可スペクトルの任意の組合せを利用し得る。ｅＣＣシンボル持続時間およびサブキャリア間隔の柔軟性は、複数のスペクトルにわたってｅＣＣを使用するのを可能にし得る。いくつかの例では、ＮＲ共有スペクトルは、具体的にはリソースの動的垂直（たとえば、周波数にわたる）共有および水平（たとえば、時間にわたる）共有によって、スペクトル利用度およびスペクトル効率を向上させる（increase）。
【００４８】
[0059]いくつかの場合には、ワイヤレス通信システム１００は、認可無線周波数スペクトル帯域と無認可無線周波数スペクトル帯域の両方を利用し得る。たとえば、ワイヤレス通信システム１００は、５Ｇｈｚ産業科学医療用（ＩＳＭ）帯域などの無認可帯域中でＬＴＥ認可支援型アクセス（ＬＴＥ−ＬＡＡ）またはＬＴＥ無認可（ＬＴＥ  Ｕ）無線アクセス技術あるいはＮＲ技術を採用し得る。無認可無線周波数スペクトル帯域中で動作するとき、基地局１０５およびＵＥ１１５などのワイヤレスデバイスは、データを送信する前にチャネルがクリアであることを保証するために、リッスンビフォアトーク（ＬＢＴ）手順を採用し得る。場合によっては、無認可帯域中の動作は、認可帯域中で動作するＣＣとともに、ＣＡ構成に基づき得る。無認可スペクトル中の動作は、ダウンリンク送信、アップリンク送信、またはその両方を含み得る。無認可スペクトル中の複信は、ＦＤＤ、ＴＤＤ、またはその両方の組合せに基づき得る。
【００４９】
[0060]場合によっては、送信デバイスの参照は一般に、別のデバイスに情報を送信する任意のデバイスを指す。送信デバイスは、基地局１０５および／または別のＵＥ１１５に情報を送信するＵＥ１１５であっても、または別の基地局１０５および／またはＵＥ１１５に情報を送信する基地局１０５であってもよい。さらに、受信デバイスの参照は一般に、別のデバイスから情報を受信する任意のデバイスを指す。受信デバイスは、基地局１０５および／または別のＵＥ１１５から情報を受信するＵＥ１１５であっても、または別の基地局１０５および／またはＵＥ１１５への情報を受信する基地局１０５であってもよい。
【００５０】
[0061]いくつかの態様では、基地局１０５は、基地局通信マネージャ１０１を含み得、ＵＥ１１５は、ＵＥ通信マネージャ１０２を含み得る。基地局通信マネージャ１０１および／またはＵＥ通信マネージャ１０２は、対応するデバイスが送信デバイスとして構成されるときは同様に構成され得る。基地局通信マネージャ１０１および／またはＵＥ通信マネージャ１０２は、受信デバイスとの通信に使用されるスロットの持続時間を特定し（identify）得る。基地局通信マネージャ１０１および／またはＵＥ通信マネージャ１０２は、受信デバイスとの通信がＦＤＤ通信を含むと決定し得る。基地局通信マネージャ１０１および／またはＵＥ通信マネージャ１０２は、スロットの第１の部分の間に受信デバイスに通信を送信し得る。第１の部分の持続時間は、スロットの持続時間よりも短くてもよい。第１の部分の持続時間は、通信がＦＤＤ通信であるとの決定に基づき得る。基地局通信マネージャ１０１および／またはＵＥ通信マネージャ１０２は、通信がＦＤＤ通信であり、通信がスロットの第１の部分の間に送信されるとの決定に基づいて、通信の間に使用すべき（to）ＨＡＲＱ方式を決定し得る。
【００５１】
[0062]図２は、本開示の１つまたは複数の態様による、ミニスロットによるＦＤＤ  ＨＡＲＱをサポートするプロセス２００の一例を示す。いくつかの例では、プロセス２００は、ワイヤレス通信システム１００の態様を実装し得る。プロセス２００は、本明細書で説明する対応するデバイスの例であってもよい送信デバイス２０５と受信デバイス２１０とを含んでもよい。一般に、プロセス２００は、ＴＤＤ構成ワイヤレス通信システムにおけるタイムラインに整合するように（to match）短縮されたデータ送信の一例を示す。
【００５２】
[0063]２１５において、送信デバイス２０５は、スロット持続時間を特定し得る。スロットの持続時間は、ＴＤＤ構成ワイヤレス通信システムのタイムラインに基づき得る。上述のように、スロットは、サブバンドの第１のセットを使用する１つのスロット上の同時ダウンリンク通信とサブバンドの第２のセットを使用する（たとえば、時間整合された）スロットの間の（during）アップリンク通信とを含み得る。
【００５３】
[0064]２２０において、送信デバイス２０５は、受信デバイス２１０との通信がＦＤＤ通信を含むと決定し得る。たとえば、ＦＤＤ通信は、デバイスが、ダウンリンクスロットに関連するＨＡＲＱ情報を通信するためにアップリンクスロットを使用し得る、その逆もまた同様であり（vice versa）、時間整合されたアップリンクスロットとダウンリンクスロットとを含み得る。したがって、ＴＤＤ構成ワイヤレス通信システムは、時間整合されたアップリンクスロットに対して（with respect to）ＦＤＤを使用するダウンリンクスロットを使用し得る。
【００５４】
[0065]２２５において、送信デバイス２０５は、スロットの第１の部分の間に受信デバイス２１０に通信を送信し得る。スロットの第１の部分は、スロット持続時間よりも短い持続時間を有し得る。スロットの第１の部分の持続時間は、ＦＤＤ通信である通信に少なくとも部分的に基づいて選択され得る。
【００５５】
[0066]いくつかの態様では、スロットの第１の部分における通信が、短縮された通信を可能にし（provide for）得る。たとえば、送信デバイス２０５は、ＨＡＲＱ報告がスロット（たとえば、スロットの第２の部分）におけるフィードバック情報を含むと決定してもよい。したがって、ダウンリンク通信のいくつかの例では、スロットの第１の部分は、短縮された通信に使用される部分であってもよく、スロットの第２の部分は、未使用であってもよく、ならびに／またはミニスロットとして使用され得る。アップリンク通信のいくつかの例では、スロットの第１の部分は、短縮されたアップリンク通信であってもよく、（時間的に（in time）第１の部分に先行することがある）スロットの第２の部分は、未使用であってもよく、ならびに／またはミニスロットに（for）使用され得る。したがって、ダウンリンクシナリオでは、第２の部分は、時間的にスロットの第１の部分の後に続き得る。アップリンクシナリオでは、第１の部分は、時間的にスロットの第２の部分の後に続き得る。いくつかの態様では、ダウンリンクシナリオにおけるデータ短縮は、スロットの第１の部分におけるダウンリンクデータ送信とスロットの第２の部分における受信デバイス２１０からのＨＡＲＱフィードバック（たとえば、ＡＣＫ／ＮＡＣＫ）との間の距離に起因し（due to）てもよい。いくつかの態様では、アップリンクデータ短縮は、スロットの第２の部分における（ダウンリンク制御において送信される）アップリンク許可とスロットの第１の部分の間に送信されるアップリンクデータとの間の距離に起因してもよい。
【００５６】
[0067]いくつかの態様では、送信デバイス２０５は、スロットの間に（during the slot）ＨＡＲＱフィードバックを受信することに基づいてスロットの第２の部分の（for）持続時間を選択し得る。したがって、送信デバイス２０５は、スロットの第２の部分の間に受信デバイス２１０からＨＡＲＱフィードバックを受信してもよい（図示せず）。いくつかの態様では、送信デバイス２０５は、次のスロット、たとえば、時間的に上記のスロットの後に続くスロットにおいてＨＡＲＱフィードバックを受信することに基づいてスロットの第２の部分についての持続時間を選択し得る。
【００５７】
[0068]いくつかの態様では、第２の部分の持続時間は、ワイヤレス通信システムのＴＤＤ構成に基づき得る。前述のように、ＦＤＤのアップリンクスロットとダウンリンクスロットは、スロットの第２の部分の持続時間が、（たとえば、受信デバイス２１０が送信を受信しスロットにおいてＨＡＲＱフィードバックを送信するのに十分な時間を提供するために）同じスロットにおいてＨＡＲＱフィードバックを受信することをサポートするように選択され得るように時間整合されてもよい。
【００５８】
[0069]２３０において、送信デバイス２０５は、受信デバイス２１０との通信の間に使用すべきＨＡＲＱ方式を選択し得る。ＨＡＲＱ方式は、少なくともいくつかの態様では、通信がＦＤＤ通信であり、ならびに／または通信がスロットの第１の部分の間に行われた（were）との決定に基づいて選択され得る。ＨＡＲＱ方式は、同じスロットおよび／または次のスロットにおいてＨＡＲＱフィードバック情報（たとえば、メッセージ）、たとえば、スロットにおける全データ送信を通信することと、制御情報送信を遅延させることとを含み得る。いくつかの態様では、送信デバイス２０５は、たとえば、ＲＲＣシグナリングを介して、利用可能なＨＡＲＱ方式のプールを（with）構成されてもよい。送信デバイス２０５は、利用可能なＨＡＲＱ方式のプールからＨＡＲＱ方式を特定するかまたは場合によっては採用し得る。
【００５９】
[0070]図３は、本開示の１つまたは複数の態様による、ミニスロットによるＦＤＤ  ＨＡＲＱをサポートするスロット構成３００の一例を示す。いくつかの例では、スロット構成３００は、ワイヤレス通信システム１００および／またはプロセス２００の態様を実装し得る。スロット構成３００は、スロットにおけるＨＡＲＱフィードバックをサポートするための（to）スロットにおける短縮されたデータ送信の一例を示す。いくつかの態様では、スロット構成３００は、２つのダウンリンクＨＡＲＱプロセスおよび２つのアップリンクＨＡＲＱプロセスをサポートし得る。
【００６０】
[0071]一般に、スロット構成３００は、スロット３０５−ａ、３０５−ｂ、および３０５−ｃとして示される３つのスロット３０５を含み得る。各スロット３０５の間、サブバンドの第１のセット上のダウンリンク通信とサブバンドの第２のセット上のアップリンク通信が行われ（be）得る。スロット３０５におけるダウンリンク通信とアップリンク通信は（点線の垂直線によって示されるように）時間整合され得る。いくつかの態様では、スロット３０５におけるダウンリンク通信は、ダウンリンク許可３１０と、アップリンク許可３１５と、ダウンリンクデータ３２０と、未使用期間３２５とを含み得る。ダウンリンク通信シナリオでは、スロット３０５の第２の部分は、未使用期間３２５を含み得、スロットの第１の部分は、ダウンリンクデータ３２０を含み得る。ダウンリンク通信シナリオのいくつかの例では、スロットの第１の部分はまた、ダウンリンク許可３１０および／またはアップリンク許可３１５を含み得る。したがって、ダウンリンクスロット３０５の第１の部分は、時間的にスロット３０５の第２の部分に先行し（precede）得る。
【００６１】
[0072]いくつかの態様では、スロット３０５におけるアップリンク通信は、未使用期間３３０と、アップリンクデータ３３５と、ＨＡＲＱ方式３４０とを含み得る。アップリンク通信シナリオでは、スロット３０５の第２の部分は、未使用期間３３０を含み得、スロットの第１の部分は、アップリンクデータ３３５を含み得る。アップリンク通信シナリオのいくつかの例では、スロットの第１の部分はまた、ＨＡＲＱ３４０を含み得る。したがって、アップリンクスロット３０５の第２の部分は、時間的にスロット３０５の第１の部分に先行し得る。
【００６２】
[0073]一般に、スロット構成３００は、スロット３０５においてＨＡＲＱフィードバックを与えるＨＡＲＱ方式をサポートするための（to）送信短縮の一例を示す。ダウンリンク通信についての一例として、送信デバイスは、ダウンリンクデータ３２０の間に受信デバイスに情報を送信し得る（ダウンリンクデータ３２０−ａからＨＡＲＱ３４０−ａへの点線によって示されている）。しかし、ダウンリンクデータ３２０の送信は、（たとえば、ダウンリンクシナリオにおける）スロット３０５の第１の部分が、スロット３０５の持続時間よりも短い持続時間を有し得るように短縮されてもよい。したがって、受信デバイスは、短縮されたデータ送信をダウンリンクスロットの第１の部分の間に受信し、スロット３０５の間にＨＡＲＱフィードバック（たとえば、ＨＡＲＱ３４０）を与え得る。さらに、送信デバイスは、スロット３０５の間に受信されたＨＡＲＱフィードバックに基づいて、ダウンリンクデータを再び再送すべきかどうかを決定し得、その場合（if so）、後に続く（subsequent）スロットにおいて別のダウンリンク許可を通信し得る（ＨＡＲＱ３４０−ａからスロット３０５−ｃにおけるダウンリンク許可３１０−ｃへ（from HARQ 340-a to downlink grant 310-c in slot 305-c）の点線によって示されている）。
【００６３】
[0074]アップリンク通信についての一例として、送信デバイスは、ダウンリンクスロットのダウンリンク制御期間（period）の間に送信された（is transmitted）アップリンク許可３１５を受信し得る（アップリンク許可３１５−ａからアップリンクデータ３３５−ａへの点線によって示されている）。送信デバイスは次いで、スロット３０５の間に受信デバイスにアップリンクデータ３３５を送信し得る。送信デバイスは、受信デバイスから受信されたＨＡＲＱ情報に基づいて、必要に応じて（if needed）後に続くスロットの間にアップリンクデータを再送し得る（アップリンクデータ３３５−ａからアップリンク許可３１５−ｃへの点線によって示されている）。
【００６４】
[0075]図４は、本開示の１つまたは複数の態様による、ミニスロットによるＦＤＤ  ＨＡＲＱをサポートするスロット４００の一例を示す。いくつかの例では、スロット構成４００は、ワイヤレス通信システム１００および／またはプロセス２００の態様を実装し得る。スロット構成４００は、ショート物理アップリンク制御チャネル（ＰＵＣＣＨ）構成における３つのダウンリンクＨＡＲＱプロセスおよび３つのアップリンクＨＡＲＱプロセスについてのサポートの一例を示す。
【００６５】
[0076]一般に、スロット構成４００は、スロット４０５−ａ、４０５−ｂ、４０５−ｃ、および４０５−ｄとして示される４つのスロット４０５を含み得る。各スロット４０５の間、サブバンドの第１のセット上のダウンリンク通信とサブバンドの第２のセット上のアップリンク通信が行われ（be）得る。スロット４０５におけるダウンリンク通信とアップリンク通信は（点線の垂直線によって示されるように）時間整合され得る。いくつかの態様では、スロット４０５におけるダウンリンク通信は、ダウンリンク許可４１０と、アップリンク許可４１５と、ダウンリンクデータ４２０とを含み得る。いくつかの態様では、スロット４０５におけるアップリンク通信は、アップリンクデータ４２５と、ＨＡＲＱ４３０とを含み得る。
【００６６】
[0077]一般に、スロット構成４００は、後に続くスロット４０５においてＨＡＲＱフィードバックを与えるＨＡＲＱ方式の一例を示す。ダウンリンク通信についての一例として、送信デバイスは、ダウンリンクデータ４２０の間に受信デバイスに情報を送信し得る（ダウンリンクデータ４２０−ａからＨＡＲＱ４３０−ｂへの点線によって示されている）。したがって、受信デバイスは、ダウンリンクスロット４０５−ａの間にデータ送信を受信し、スロット４０５−ｂの間にＨＡＲＱフィードバック（たとえば、ＨＡＲＱ４３０−ｂ）を与え得る。さらに、送信デバイスは、スロット４０５−ｂの間に受信されたＨＡＲＱフィードバックに基づいて、ダウンリンクデータを再び再送するかどうか（whether to）を決定し、その場合（if so）、後に続くスロットにおいて別のダウンリンク許可を通信し得る（ＨＡＲＱ４３０−ｂからスロット４０５−ｄにおけるダウンリンク許可４１０−ｄへの点線によって示されている）。
【００６７】
[0078]アップリンク通信についての一例として、送信デバイスは、ダウンリンクスロット４０５−ａのダウンリンク制御期間の間に送信されたアップリンク許可４１５−ａを受信し得る（アップリンク許可４１５−ａからアップリンクデータ４２５−ｂへの点線によって示されている）。送信デバイスは次いで、スロット４０５−ｂの間に受信デバイスにアップリンクデータ４２５−ｂを送信し得る。送信デバイスは、受信デバイスから受信されたＨＡＲＱ情報に基づいて、必要に応じて後に続くスロットの間にアップリンクデータを再送し得る（アップリンクデータ４２５−ｂからアップリンク許可４１５−ｄへの点線によって示されている）。
【００６８】
[0079]図５は、本開示の１つまたは複数の態様による、ミニスロットによってＦＤＤ  ＨＡＲＱをサポートするスロット構成５００の一例を示す。いくつかの例では、スロット構成５００は、ワイヤレス通信システム１００および／またはプロセス２００の態様を実装し得る。スロット構成５００は、ロングＰＵＣＣＨ構成における４つのダウンリンクＨＡＲＱプロセスおよび３つのアップリンクＨＡＲＱプロセスについてのサポートの一例を示す。
【００６９】
[0080]一般に、スロット構成５００は、スロット５０５−ａ、５０５−ｂ、５０５−ｃ、および５０５−ｄとして示される４つのスロット５０５を含み得る。説明のみのために、第５のスロット５０５−ｅも示されている。各スロット５０５の間、サブバンドの第１のセット上のダウンリンク通信およびサブバンドの第２のセット上のアップリンク通信が行われ得る。スロット５０５におけるダウンリンク通信とアップリンク通信は（点線の垂直線によって示されるように）時間整合され得る。いくつかの態様では、スロット５０５におけるダウンリンク通信は、ダウンリンク許可５１０と、アップリンク許可５１５と、ダウンリンクデータ５２０とを含み得る。いくつかの態様では、スロット５０５におけるアップリンク通信は、アップリンクデータ５２５と、ＨＡＲＱ５３０とを含み得る。
【００７０】
[0081]一般に、スロット構成５００は、後に続くスロット５０５においてＨＡＲＱフィードバックを与えるＨＡＲＱ方式の一例を示す。ダウンリンク通信についての一例として、送信デバイスは、ダウンリンクデータ５２０の間に受信デバイスに情報を送信し得る（ダウンリンクデータ５２０−ａからＨＡＲＱ５３０−ｂへの点線によって示されている）。したがって、受信デバイスは、ダウンリンクスロット５０５−ａの間にデータ送信を受信し、スロット５０５−ｂの間にＨＡＲＱフィードバック（たとえば、ＨＡＲＱ５３０−ｂ）を与え得る。さらに、送信デバイスは、スロット５０５−ｂの間に受信されたＨＡＲＱフィードバックに基づいて、ダウンリンクデータを再び再送するかどうかを決定し、再送する場合、後に続くスロットにおいて別のダウンリンク許可を通信し得る（ＨＡＲＱ５３０−ｃからスロット５０５−ｅにおけるダウンリンク許可５１０−ｅへの点線によって示されている）。
【００７１】
[0082]アップリンク通信についての一例として、送信デバイスは、ダウンリンクスロット５０５−ａのダウンリンク制御期間の間に送信されたアップリンク許可５１５−ａを受信し得る（アップリンク許可５１５−ａからアップリンクデータ５２５−ｂへの点線によって示されている）。送信デバイスは次いで、スロット５０５−ｂの間に受信デバイスにアップリンクデータ５２５−ｂを送信し得る。送信デバイスは、受信デバイスから受信されたＨＡＲＱ情報に基づいて、必要に応じて後に続くスロットの間にアップリンクデータを再送し得る（アップリンクデータ５２５−ｂからアップリンク許可５１５−ｄへの点線によって示されている）。
【００７２】
[0083]図６は、本開示の１つまたは複数の態様による、ミニスロットによるＦＤＤ  ＨＡＲＱをサポートするスロット構成６００の一例を示す。いくつかの例では、スロット構成６００は、ワイヤレス通信システム１００および／またはプロセス２００の態様を実装し得る。スロット構成６００は、ＨＡＲＱフィードバック次のスロットをサポートするためのスロットにおける短縮されたデータ送信の一例を示す。いくつかの態様では、スロット構成６００は、ロングＰＵＣＣＨ構成における３つのダウンリンクＨＡＲＱプロセスおよび３つのアップリンクＨＡＲＱプロセスをサポートし得る。
【００７３】
[0084]一般に、スロット構成６００は、スロット６０５−ａ、６０５−ｂ、６０５−ｃ、および６０５−ｄとして示される４つのスロット６０５を含み得る。各スロット６０５の間、サブバンドの第１のセット上のダウンリンク通信とサブバンドの第２のセット上のアップリンク通信が行われ得る。スロット６０５におけるダウンリンク通信とアップリンク通信は（点線の垂直線によって示されるように）時間整合され得る。いくつかの態様では、スロット６０５におけるダウンリンク通信は、ダウンリンク許可６１０と、アップリンク許可６１５と、ダウンリンクデータ６２０と、未使用期間６２５とを含み得る。ダウンリンク通信シナリオでは、スロット６０５の第２の部分は、未使用期間６２５を含み得、スロットの第１の部分は、ダウンリンクデータ６２０を含み得る。ダウンリンク通信シナリオのいくつかの例では、スロットの第１の部分はまた、ダウンリンク許可６１０および／またはアップリンク許可６１５を含み得る。したがって、ダウンリンクスロット６０５の第１の部分は、時間的にスロット６０５の第２の部分に先行し得る。
【００７４】
[0085]いくつかの態様では、スロット６０５におけるアップリンク通信は、アップリンクデータ６２５と、ＨＡＲＱ６３０とを含み得る。ＨＡＲＱ６３０はまた、ＨＡＲＱフィードバックメッセージとともに（along with）送信されるチャネル品質インジケータ（ＣＱＩ）情報を含み得る。
【００７５】
[0086]一般に、スロット構成６００は、次のスロット６０５においてＨＡＲＱフィードバックを与えるＨＡＲＱ方式をサポートするための送信短縮の一例を示す。ダウンリンク通信についての一例として、送信デバイスは、ダウンリンクデータ６２０の間に受信デバイスに情報を送信し得る（ダウンリンクデータ６２０−ａからＨＡＲＱ６３０−ｂへの点線によって示されている）。しかし、ダウンリンクデータ６２０−ａの送信は、（たとえば、ダウンリンクシナリオにおける）スロット６０５の第１の部分が、スロット６０５の持続時間よりも短い持続時間を有し得るように短縮されてもよい。したがって、受信デバイスは、短縮されたデータ送信をダウンリンクスロットの第１の部分の間に受信し、スロット６０５の間にＨＡＲＱフィードバック（たとえば、ＨＡＲＱ６３０−ｂ）を与え得る。さらに、送信デバイスは、スロット６０５−ｂの間に受信されたＨＡＲＱフィードバックに基づいて、ダウンリンクデータを再び再送すべきかどうかを決定し得、その場合（if so）、後に続くスロットにおいて別のダウンリンク許可を通信し得る（ＨＡＲＱ６３０−ｂからスロット６０５−ｄにおけるダウンリンク許可６１０−ｄへの点線によって示されている）。
【００７６】
[0087]アップリンク通信についての一例として、送信デバイスは、ダウンリンクスロットのダウンリンク制御期間の間に送信されたアップリンク許可６１５を受信し得る（アップリンク許可６１５−ａからアップリンクデータ６２５−ｂへの点線によって示されている）。送信デバイスは次いで、スロット６０５−ｂの間に受信デバイスにアップリンクデータ６２５−ｂを送信し得る。送信デバイスは、受信デバイスから受信されたＨＡＲＱ情報に基づいて、必要に応じて後に続くスロットの間にアップリンクデータを再送し得る（アップリンクデータ６２５−ｂからアップリンク許可６１５−ｄの点線によって示されている）。
【００７７】
[0088]図７は、本開示の１つまたは複数の態様による、ミニスロットによるＦＤＤ  ＨＡＲＱをサポートするスロット構成７００の一例を示す。いくつかの例では、スロット構成７００は、ワイヤレス通信システム１００および／またはプロセス２００の態様を実装し得る。スロット構成７００は、次のスロットにおけるＨＡＲＱフィードバックをサポートするためのスロットにおける短縮された制御送信の一例を示す。いくつかの態様では、スロット構成７００は、ロングＰＵＣＣＨ構成における３つのダウンリンクＨＡＲＱプロセスおよび３つのアップリンクＨＡＲＱプロセスをサポートし得る。
【００７８】
[0089]一般に、スロット構成７００は、スロット７０５−ａ、７０５−ｂ、７０５−ｃ、および７０５−ｄとして示される４つのスロット７０５を含み得る。各スロット７０５の間、サブバンドの第１のセット上のダウンリンク通信とサブバンドの第２のセット上のアップリンク通信が行われ得る。スロット７０５におけるダウンリンク通信とアップリンク通信は（点線の垂直線によって示されるように）時間整合され得る。いくつかの態様では、スロット７０５におけるダウンリンク通信は、ダウンリンク許可７１０と、アップリンク許可７１５と、ダウンリンクデータ７２０とを含み得る。
【００７９】
[0090]いくつかの態様では、スロット７０５におけるアップリンク通信は、アップリンクデータ７２５とＨＡＲＱ７３０とを含み得、いくつかの例では、未使用期間７３５を含み得る。ＨＡＲＱ７３０はまた、ＨＡＲＱフィードバックメッセージとともに送信されるＣＱＩ情報を含み得る。アップリンク通信シナリオでは、スロット７０５の第２の部分は、未使用期間７３５を含み得、スロットの第１の部分は、アップリンクデータ７３５を含み得る。アップリンク通信シナリオのいくつかの例では、スロットの第１の部分はまた、ＨＡＲＱ７３０を含み得る。したがって、アップリンクスロット７０５の第１の部分は、時間的にスロット７０５の第２の部分に対応し得、たとえば、重なり得る。
【００８０】
[0091]一般に、スロット構成７００は、次のスロット７０５においてＨＡＲＱフィードバックを与えるＨＡＲＱ方式をサポートするための送信短縮の一例を示す。ダウンリンク通信についての一例として、送信デバイスは、ダウンリンクデータ７２０の間に受信デバイスに情報を送信し得る（ダウンリンクデータ７２０−ａからＨＡＲＱ７３０−ｂへの点線によって示されている）。ダウンリンクデータ７２０−ａの送信は、スロット７０５の全持続時間を占有し得、スロット７０５の持続時間と同じ持続時間を有し得る。したがって、受信デバイスは、ダウンリンクスロットの間にデータ送信を受信し、スロット７０５の間にＨＡＲＱフィードバック（たとえば、ＨＡＲＱ７３０−ｂ）を与え得る。さらに、送信デバイスは、スロット７０５−ｂの間に受信されたＨＡＲＱフィードバックに基づいて、ダウンリンクデータを再び再送すべきかどうかを決定し得、その場合（if so）、後に続くスロットにおいて別のダウンリンク許可を通信し得る（ＨＡＲＱ７３０−ｂからスロット７０５−ｄにおけるダウンリンク許可７１０−ｄへの点線によって示されている）。
【００８１】
[0092]しかし、ダウンリンクデータ７２０−ａがスロット７０５−ａの全持続時間を占有するので、受信デバイスは、制御情報の送信を遅延させることがある（たとえば、ＨＡＲＱ７３０−ｂ。制御情報の送信を遅延させることによって発生する（created）遅延は、未使用期間７３５を生じさせることがある。
【００８２】
[0093]アップリンク通信についての一例として、送信デバイスは、ダウンリンクスロットのダウンリンク制御期間の間に送信されたアップリンク許可７１５を受信し得る（アップリンク許可７１５−ａからアップリンクデータ７２５−ｂへの点線によって示されている）。送信デバイスは次いで、スロット７０５−ｂの間に受信デバイスにアップリンクデータ７２５−ｂを送信し得る。送信デバイスは、受信デバイスから受信されたＨＡＲＱ情報に基づいて、必要に応じて後に続くスロットの間にアップリンクデータを再送し得る（アップリンクデータ７２５−ｂからアップリンク許可７１５−ｄの点線によって示されている）。
【００８３】
[0094]図８は、本開示の１つまたは複数の態様による、ミニスロットによるＦＤＤ  ＨＡＲＱをサポートするスロット構成８００の一例を示す。いくつかの例では、スロット構成８００は、ワイヤレス通信システム１００および／またはプロセス２００の態様を実装し得る。スロット構成８００は、スロットにおけるＨＡＲＱフィードバックをサポートするためのスロットにおける短縮されたデータ送信の一例を示す。いくつかの態様では、スロット構成８００は、２つのダウンリンクＨＡＲＱプロセスおよび２つのアップリンクＨＡＲＱプロセスをサポートし得る。
【００８４】
[0095]一般に、スロット構成８００は、スロット８０５−ａ、８０５−ｂ、および８０５−ｃとして示される３つのスロット８０５を含み得る。各スロット８０５の間、サブバンドの第１のセット上のダウンリンク通信とサブバンドの第２のセット上のアップリンク通信が行われ得る。スロット８０５におけるダウンリンク通信とアップリンク通信は（点線の垂直線によって示されるように）時間整合され得る。いくつかの態様では、スロット８０５におけるダウンリンク通信は、ダウンリンク許可８１０と、アップリンク許可８１５と、ダウンリンクデータ８２０と、ダウンリンクミニスロット８２５とを含み得る。ダウンリンク通信シナリオでは、スロット８０５の第２の部分は、ダウンリンクミニスロット８２５を含み得、スロットの第１の部分は、ダウンリンクデータ８２０を含み得る。ダウンリンク通信シナリオのいくつかの例では、スロットの第１の部分はまた、ダウンリンク許可８１０および／またはアップリンク許可８１５を含み得る。したがって、ダウンリンクスロット８０５の第１の部分は、時間的にスロット８０５の第２の部分に先行し得る。
【００８５】
[0096]いくつかの態様では、スロット８０５におけるアップリンク通信は、アップリンクミニスロット８３０と、アップリンクデータ８３５と、ＨＡＲＱ８４０とを含み得る。アップリンク通信シナリオでは、スロット８０５の第２の部分は、アップリンクミニスロット８３０を含み得、スロットの第１の部分は、アップリンクデータ８３５を含み得る。アップリンク通信シナリオのいくつかの例では、スロットの第１の部分はまた、ＨＡＲＱ８４０を含み得る。したがって、アップリンクスロット８０５の第２の部分は、時間的にスロット８０５の第１の部分に先行し得る。
【００８６】
[0097]一般に、スロット構成８００は、スロット８０５においてＨＡＲＱフィードバックを与えるＨＡＲＱ方式をサポートするための送信短縮の一例を示す。ダウンリンク通信についての一例として、送信デバイスは、ダウンリンクデータ８２０の間に受信デバイスに情報を送信し得る（ダウンリンクデータ８２０−ａからＨＡＲＱ８４０−ａへの点線によって示されている）。しかし、ダウンリンクデータ８２０−ａの送信は、（たとえば、ダウンリンクシナリオにおける）スロット８０５の第１の部分が、スロット８０５の持続時間よりも短い持続時間を有し得るように短縮されてもよい。したがって、受信デバイスは、短縮されたデータ送信をダウンリンクスロットの第１の部分の間に受信し、スロット８０５の間にＨＡＲＱフィードバック（たとえば、ＨＡＲＱ８４０）を与え得る。さらに、送信デバイスは、スロット８０５の間に受信されたＨＡＲＱフィードバックに基づいて、ダウンリンクデータを再び再送すべきかどうかを決定し得、その場合（if so）、後に続くスロットにおいて別のダウンリンク許可を通信し得る（ＨＡＲＱ８４０−ａからスロット８０５−ｃにおけるダウンリンク許可８１０−ｃへの点線によって示されている）。
【００８７】
[0098]送信デバイスは、ミニスロット、たとえばダウンリンクミニスロット８２５を多重化するために、短縮された送信によって生じる期間を使用し得る。ミニスロット８２５は、受信デバイスおよび／または他の受信デバイスについての情報と多重化されてもよい。
【００８８】
[0099]アップリンク通信についての一例として、送信デバイスは、ダウンリンクスロットのダウンリンク制御期間の間に送信されたアップリンク許可８１５を受信し得る（アップリンク許可８１５−ａからアップリンクデータ８３５−ａへの点線によって示されている）。送信デバイスは次いで、スロット８０５の間に受信デバイスにアップリンクデータ８３５を送信し得る。送信デバイスは、受信デバイスから受信されたＨＡＲＱ情報に基づいて、必要に応じて後に続くスロットの間にアップリンクデータを再送し得る（アップリンクデータ８３５−ａからアップリンク許可８１５−ｃへの点線によって示されている）。
【００８９】
[0100]送信デバイスは、ミニスロット、たとえばアップリンクミニスロット８３０を多重化するために、許可情報の送信によって生じる期間を使用することもできる。アップリンクミニスロット８３０は、受信デバイスおよび／または他の受信デバイスについての情報と多重化されてもよい。
【００９０】
[0101]図９は、本開示の１つまたは複数の態様による、ミニスロットによるＦＤＤ  ＨＡＲＱをサポートするワイヤレスデバイス９０５のブロック図９００を示す。ワイヤレスデバイス９０５は、本明細書で説明するＵＥ１１５または基地局１０５の態様の一例、たとえば送信デバイスであってもよい。ワイヤレスデバイス９０５は、受信機９１０と、通信マネージャ９１５と、送信機９２０とを含み得る。ワイヤレスデバイス９０５はまた、プロセッサを含み得る。これらの構成要素の各々は、（たとえば、１つまたは複数のバスを介して）互いに通信していてもよい。
【００９１】
[0102]受信機９１０は、パケット、ユーザデータ、または様々な情報チャネルに関連する制御情報（たとえば、制御チャネル、データチャネル、およびミニスロットによるＦＤＤ  ＨＡＲＱに関係する情報など）などの情報を受信し得る。情報はデバイスの他の構成要素に受け渡され得る。受信機９１０は、図１２を参照しながら説明するトランシーバ１２３５の態様の一例であってもよい。受信機９１０は、単一のアンテナまたはアンテナのセットを利用し得る。
【００９２】
[0103]通信マネージャ９１５は、図１２を参照しながら説明する通信マネージャ１２１５の態様の一例であってもよい。
【００９３】
[0104]通信マネージャ９１５および／またはそれの様々な副構成要素のうちの少なくともいくつかは、ハードウェア、プロセッサによって実行されるソフトウェア、ファームウェア、またはそれらの任意の組合せにおいて実装され得る。プロセッサによって実行されるソフトウェアにおいて実装される場合、通信マネージャ９１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明する機能を実施するように設計されたそれらの任意の組合せによって実行され得る。通信マネージャ９１５および／またはそれの様々な副構成要素のうちの少なくともいくつかは、１つまたは複数の物理デバイスによって機能の部分が異なる物理的ロケーションにおいて実装されるように分散されることを含めて、様々な位置に物理的に配置され得る。いくつかの例では、通信マネージャ９１５および／またはそれの様々な副構成要素のうちの少なくともいくつかは、本開示の様々な態様による別個で個別の構成要素であってもよい。他の例では、通信マネージャ９１５および／またはそれの様々な副構成要素のうちの少なくともいくつかは、限定はされないが、本開示の様々な態様による、Ｉ／Ｏ構成要素、トランシーバ、ネットワークサーバ、別のコンピューティングデバイス、本開示で説明する１つまたは複数の他の構成要素、あるいはそれらの組合せを含む、１つまたは複数の他のハードウェア構成要素と組み合わされ得る。
【００９４】
[0105]通信マネージャ９１５は、受信デバイスとの通信に使用されるスロットの持続時間を特定し得る。通信マネージャ９１５は、受信デバイスとの通信がＦＤＤ通信を含むと決定し得る。通信マネージャ９１５は、スロットの第１の部分の間に受信デバイスに通信を送信し得、第１の部分の持続時間は、スロットの持続時間よりも短く、第１の部分の持続時間は、通信がＦＤＤ通信を含むとの決定に基づく。通信マネージャ９１５は、通信がＦＤＤ通信であり、通信がスロットの第１の部分の間に送信されるとの決定に基づいて、通信の間に使用すべき（to）ＨＡＲＱ方式を選択し得る。
【００９５】
[0106]送信機９２０は、デバイスの他の構成要素によって生成された信号を送信し得る。いくつかの例では、送信機９２０は、トランシーバモジュールにおいて受信機９１０とコロケートされ得る。たとえば、送信機９２０は、図１２を参照しながら説明するトランシーバ１２３５の態様の一例であってもよい。送信機９２０は、単一のアンテナまたはアンテナのセットを利用し得る。
【００９６】
[0107]図１０は、本開示の１つまたは複数の態様による、ミニスロットによってＦＤＤ  ＨＡＲＱをサポートするワイヤレスデバイス１００５のブロック図１０００を示す。ワイヤレスデバイス１００５は、本明細書で説明するワイヤレスデバイス９０５またはＵＥ１１５または基地局１０５の態様の一例、たとえば送信デバイス、であってもよい。ワイヤレスデバイス１００５は、受信機１０１０と、通信マネージャ１０１５と、送信機１０２０とを含み得る。ワイヤレスデバイス１００５はまた、プロセッサを含み得る。これらの構成要素の各々は、（たとえば、１つまたは複数のバスを介して）互いに通信していてもよい。
【００９７】
[0108]受信機１０１０は、パケット、ユーザデータ、または様々な情報チャネルに関連する制御情報（たとえば、制御チャネル、データチャネル、およびミニスロットによるＦＤＤ  ＨＡＲＱに関係する情報など）などの情報を受信し得る。情報はデバイスの他の構成要素に受け渡され得る。受信機１０１０は、図１２を参照しながら説明するトランシーバ１２３５の態様の一例であってもよい。受信機１０１０は、単一のアンテナまたはアンテナのセットを利用し得る。
【００９８】
[0109]通信マネージャ１０１５は、図１２を参照しながら説明する通信マネージャ１２１５の態様の一例であってもよい。通信マネージャ１０１５はまた、スロット持続時間マネージャ１０２５と、ＦＤＤ通信マネージャ１０３０と、送信マネージャ１０３５と、ＨＡＲＱマネージャ１０４０とを含み得る。
【００９９】
[0110]スロット持続時間マネージャ１０２５は、受信デバイスとの通信に使用されるスロットの持続時間を特定してもよい。ＦＤＤ通信マネージャ１０３０は、受信デバイスとの通信がＦＤＤ通信を含むと決定し得る。
【０１００】
[0111]送信マネージャ１０３５は、スロットの第１の部分の間に受信デバイスに通信を送信し得、第１の部分の持続時間は、スロットの持続時間よりも短く、第１の部分の持続時間は、通信がＦＤＤ通信を含むとの決定に基づく。送信マネージャ１０３５は、スロットの第２の部分の間にＨＡＲＱフィードバックメッセージを受信することに基づいてスロットの第２の部分の持続時間を選択し得る。送信マネージャ１０３５は、ＨＡＲＱ方式に従って、スロットの第２の部分の間に受信デバイスにＨＡＲＱメッセージを送信し、ＨＡＲＱメッセージは、受信された通信に基づいて送信される。場合によっては、受信デバイスとの通信はアップリンク通信を含む。場合によっては、受信デバイスとの通信はダウンリンク通信を含む。
【０１０１】
[0112]ＨＡＲＱマネージャ１０４０は、通信がＦＤＤ通信を含み、通信がスロットの第１の部分の間に送信されるとの決定に基づいて、通信の間に使用すべきＨＡＲＱ方式を選択し得る。ＨＡＲＱマネージャ１０４０は、ＨＡＲＱ方式に基づいて、スロットの第２の部分の間に受信デバイスからＨＡＲＱフィードバックメッセージを受信し得る。場合によっては、ＨＡＲＱ方式は、スロットの間にＨＡＲＱフィードバックメッセージを通信することを含む。場合によっては、ＨＡＲＱ方式は、時間的に上記のスロットに続いて生じるスロットの間にＨＡＲＱフィードバックメッセージを通信することを含む。
【０１０２】
[0113]送信機１０２０は、デバイスの他の構成要素によって生成された信号を送信し得る。いくつかの例では、送信機１０２０は、トランシーバモジュールにおいて受信機１０１０とコロケートされ得る。たとえば、送信機１０２０は、図１２を参照しながら説明するトランシーバ１２３５の態様の一例であってもよい。送信機１０２０は、単一のアンテナまたはアンテナのセットを利用し得る。
【０１０３】
[0114]図１１は、本開示の１つまたは複数の態様による、ミニスロットによるＦＤＤ  ＨＡＲＱをサポートする通信マネージャ１１１５のブロック図１１００を示す。通信マネージャ１１１５は、図９、図１０、および図１２を参照しながら説明した通信マネージャ９１５、通信マネージャ１０１５、または通信マネージャ１２１５の態様の一例であってもよい。通信マネージャ１１１５は、スロット持続時間マネージャ１１２０と、ＦＤＤ通信マネージャ１１２５と、送信マネージャ１１３０と、ＨＡＲＱマネージャ１１３５と、ミニスロットマネージャ１１４０と、ＴＤＤ通信マネージャ１１４５と、受信マネージャ１１５０と、マルチスロットＨＡＲＱマネージャ１１５５と、許可マネージャ１１６０とを含み得る。これらのモジュールの各々は、直接または間接的に、（たとえば、１つまたは複数のバスを介して）互いに通信し得る。
【０１０４】
[0115]スロット持続時間マネージャ１１２０は、受信デバイスとの通信に使用されるスロットの持続時間を特定してもよい。ＦＤＤ通信マネージャ１１２５は、受信デバイスとの通信がＦＤＤ通信を含むと決定し得る。
【０１０５】
[0116]送信マネージャ１１３０は、スロットの第１の部分の間に受信デバイスに通信を送信し得、第１の部分の持続時間は、スロットの持続時間よりも短く、第１の部分の持続時間は、通信がＦＤＤ通信を含むとの決定に基づく。送信マネージャ１１３０は、スロットの第２の部分の間にＨＡＲＱフィードバックメッセージを受信することに基づいてスロットの第２の部分用の持続時間を選択し得る。送信マネージャ１１３０は、ＨＡＲＱ方式に従って、スロットの第２の部分の間に受信デバイスにＨＡＲＱメッセージを送信し、ＨＡＲＱメッセージは、受信された通信に基づいて送信される。場合によっては、受信デバイスとの通信はアップリンク通信を含む。場合によっては、受信デバイスとの通信はダウンリンク通信を含む。
【０１０６】
[0117]ＨＡＲＱマネージャ１１３５は、通信がＦＤＤ通信を含み、通信がスロットの第１の部分の間に送信されるとの決定に基づいて、通信の間に使用すべきＨＡＲＱ方式を選択し得る。ＨＡＲＱマネージャ１１３５は、ＨＡＲＱ方式に基づいて、スロットの第２の部分の間に受信デバイスからＨＡＲＱフィードバックメッセージを受信し得る。場合によっては、ＨＡＲＱ方式は、スロットの間にＨＡＲＱフィードバックメッセージを通信することを含む。場合によっては、ＨＡＲＱ方式は、時間的に上記のスロットに続いて生じるスロットの間にＨＡＲＱフィードバックメッセージを通信することを含む。
【０１０７】
[0118]ＨＡＲＱマネージャ１１３５は、利用可能なＨＡＲＱ方式のプールを示す信号を受信し得、ここにおいて、選択されるＨＡＲＱ方式は、利用可能なＨＡＲＱ方式のプールから得られる（is from）。場合によっては、信号はＲＲＣ信号である。
【０１０８】
[0119]ミニスロットマネージャ１１４０は、スロットの第２の部分の間の通信のためのミニスロットを構成し得る。ミニスロットマネージャ１１４０は、ミニスロット、およびスロットの第１の部分の間に送信される通信を多重化し得、ここにおいて、多重化は時分割多重化を含む。場合によっては、ミニスロットの間の通信は、受信デバイスまたは異なる受信デバイスの通信用である（are for）。場合によっては、ミニスロットは、スロットの第２の部分の持続時間と実質的に同じである関連する持続時間を有する。場合によっては、スロットの第１の部分は、時間的にスロットの第２の部分に先行する。場合によっては、スロットの第２の部分は、時間的にスロットの第１の部分に先行する。
【０１０９】
[0120]ＴＤＤ通信マネージャ１１４５は、スロットがＴＤＤ通信プロトコルに従って構成されていると決定し得、ここにおいて、スロットの第２の部分は、ＴＤＤ通信プロトコルに基づいて選択される。受信マネージャ１１５０は、スロットの第１の部分の間に、受信デバイスからの通信を受信し得る。
【０１１０】
[0121]マルチスロットＨＡＲＱマネージャ１１５５は、前の（previous）スロットにおけるデータ送信が前のスロットの全持続時間にわたって（for）送信されたと決定し、ＨＡＲＱ方式に基づいて、スロットの間の制御チャネルの送信を遅延させ得る。許可マネージャ１１６０は、スロットの第１の部分の間に許可メッセージを送信し得る。
【０１１１】
[0122]図１２は、本開示の１つまたは複数の態様による、ミニスロットによるＦＤＤ  ＨＡＲＱをサポートするデバイス１２０５を含むシステム１２００の図を示す。デバイス１２０５は、本明細書で説明するワイヤレスデバイス９０５、ワイヤレスデバイス１００５、またはＵＥ１１５の構成要素の一例、たとえば送信デバイスであってもよく、またはそれを含み得る。デバイス１２０５は、ＵＥ通信マネージャ１２１５と、プロセッサ１２２０と、メモリ１２２５と、ソフトウェア１２３０と、トランシーバ１２３５と、アンテナ１２４０と、Ｉ／Ｏコントローラ１２４５とを含む、通信を送信および受信するための構成要素を含む双方向音声およびデータ通信のための構成要素を含み得る。これらの構成要素は、１つまたは複数のバス（たとえば、バス１２１０）を介して電子通信していることがある。デバイス１２０５は、１つまたは複数の基地局１０５とワイヤレス通信し得る。
【０１１２】
[0123]プロセッサ１２２０は、インテリジェントハードウェアデバイス（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。場合によっては、プロセッサ１２２０は、メモリコントローラを使用してメモリアレイを動作させるように構成され得る。他の場合には、メモリコントローラはプロセッサ１２２０に組み込まれ得る。プロセッサ１２２０は、様々な機能（たとえば、ミニスロットによるＦＤＤ  ＨＡＲＱをサポートする機能またはタスク）を実行するために、メモリに記憶されたコンピュータ可読命令を実行するように構成され得る。
【０１１３】
[0124]メモリ１２２５は、ランダムアクセスメモリ（ＲＡＭ）と読取り専用メモリ（ＲＯＭ）とを含み得る。メモリ１２２５は、実行されたときに、本明細書で説明する様々な機能をプロセッサに実施させる命令を含むコンピュータ可読、コンピュータ実行可能ソフトウェア１２３０を記憶し得る。場合によっては、メモリ１２２５は、特に、周辺構成要素またはデバイスとの対話などの基本的なハードウェアまたはソフトウェア動作を制御し得る基本入出力システム（ＢＩＯＳ）を含み得る。
【０１１４】
[0125]ソフトウェア１２３０は、ミニスロットによるＦＤＤ  ＨＡＲＱをサポートするためのコードを含む本開示の態様を実装するためのコードを含み得る。ソフトウェア１２３０は、システムメモリまたは他のメモリなどの非一時的コンピュータ可読媒体に記憶され得る。場合によっては、ソフトウェア１２３０は、プロセッサによって直接的に実行可能でないことがあるが、（たとえば、コンパイルされ実行されたときに）本明細書で説明する機能をコンピュータに実施させ得る。
【０１１５】
[0126]トランシーバ１２３５は、上記で説明したように、１つまたは複数のアンテナ、ワイヤードリンク、またはワイヤレスリンクを介して、双方向に通信し得る。たとえば、トランシーバ１２３５は、ワイヤレストランシーバを表すことがあり、別のワイヤレストランシーバと双方向に通信し得る。トランシーバ１２３５はまた、パケットを変調し、変調されたパケットを送信のためにアンテナに与えるための、およびアンテナから受信されたパケットを復調するためのモデムを含み得る。
【０１１６】
[0127]場合によっては、ワイヤレスデバイスは単一のアンテナ１２４０を含み得る。しかしながら、場合によっては、デバイスは、複数のワイヤレス送信を同時に送信または受信することが可能であり得る２つ以上のアンテナ１２４０を有し得る。
【０１１７】
[0128]Ｉ／Ｏコントローラ１２４５は、デバイス１２０５のための入力および出力信号を管理し得る。Ｉ／Ｏコントローラ１２４５はまた、デバイス１２０５に組み込まれていない周辺機器を管理し得る。場合によっては、Ｉ／Ｏコントローラ１２４５は、外部周辺機器への物理接続またはポートを表し得る。場合によっては、Ｉ／Ｏコントローラ１２４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他の場合には、Ｉ／Ｏコントローラ１２４５は、モデム、キーボード、マウス、タッチスクリーン、または同様のデバイスを表すかまたはそれらと対話し得る。場合によっては、Ｉ／Ｏコントローラ１２４５はプロセッサの一部として実装され得る。場合によっては、ユーザは、Ｉ／Ｏコントローラ１２４５を介してまたはＩ／Ｏコントローラ１２４５によって制御されるハードウェア構成要素を介してデバイス１２０５と対話し得る。
【０１１８】
[0129]図１３は、本開示の１つまたは複数の態様による、ミニスロットによってＦＤＤ  ＨＡＲＱをサポートするデバイス１３０５を含むシステム１３００の図を示す。デバイス１３０５は、本明細書で説明するワイヤレスデバイス１００５、ワイヤレスデバイス１１０５、または基地局１０５の構成要素の一例、たとえば送信デバイスであってもよく、またはそれを含み得る。デバイス１３０５は、基地局通信マネージャ１３１５と、プロセッサ１３２０と、メモリ１３２５と、ソフトウェア１３３０と、トランシーバ１３３５と、アンテナ１３４０と、ネットワーク通信マネージャ１３４５と、局間通信マネージャ１３５０とを含む、通信を送信および受信するための構成要素を含む双方向音声およびデータ通信のための構成要素を含み得る。これらの構成要素は、１つまたは複数のバス（たとえば、バス１３１０）を介して電子通信している（be in）ことがある。デバイス１３０５は、１つまたは複数のＵＥ１１５とワイヤレス通信し得る。
【０１１９】
[0130]プロセッサ１３２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。いくつかの場合には、プロセッサ１３２０は、メモリコントローラを使用してメモリアレイを動作させるように構成され得る。他の場合には、メモリコントローラはプロセッサ１３２０に組み込まれ得る。プロセッサ１３２０は、様々な機能（たとえば、ミニスロットによるＦＤＤ  ＨＡＲＱをサポートする機能またはタスク）を実行するために、メモリに記憶されたコンピュータ可読命令を実行するように構成され得る。
【０１２０】
[0131]メモリ１３２５はＲＡＭとＲＯＭとを含み得る。メモリ１３２５は、実行されたときに、本明細書で説明する様々な機能をプロセッサに実施させる命令を含むコンピュータ可読、コンピュータ実行可能ソフトウェア１３３０を記憶し得る。場合によっては、メモリ１３２５は、特に、周辺構成要素またはデバイスとの対話などの基本的なハードウェアまたはソフトウェア動作を制御し得るＢＩＯＳを含み得る。
【０１２１】
[0132]ソフトウェア１３３０は、ミニスロットによるＦＤＤ  ＨＡＲＱをサポートするためのコードを含む本開示の態様を実装するためのコードを含み得る。ソフトウェア１３３０は、システムメモリまたは他のメモリなどの非一時的コンピュータ可読媒体に記憶され得る。場合によっては、ソフトウェア１３３０は、プロセッサによって直接的に実行可能でないことがあるが、（たとえば、コンパイルされ実行されたときに）本明細書で説明する機能をコンピュータに実施させ得る。
【０１２２】
[0133]トランシーバ１３３５は、上記で説明したように、１つまたは複数のアンテナ、ワイヤードリンク、またはワイヤレスリンクを介して、双方向に通信し得る。たとえば、トランシーバ１３３５は、ワイヤレストランシーバを表し得、別のワイヤレストランシーバと双方向に通信し得る。トランシーバ１３３５はまた、パケットを変調し、変調されたパケットを送信のためにアンテナに与えるための、およびアンテナから受信されたパケットを復調するためのモデムを含み得る。
【０１２３】
[0134]場合によっては、ワイヤレスデバイスは単一のアンテナ１３４０を含み得る。しかしながら、場合によっては、デバイスは、複数のワイヤレス送信を同時に送信または受信することが可能であってもよい２つ以上のアンテナ１３４０を有し得る。
【０１２４】
[0135]ネットワーク通信マネージャ１３４５は、（たとえば、１つまたは複数のワイヤードバックホールリンクを介して）コアネットワークとの通信を管理し得る。たとえば、ネットワーク通信マネージャ１３４５は、１つまたは複数のＵＥ１１５など、クライアントデバイスのためのデータ通信の転送を管理し得る。
【０１２５】
[0136]局間通信マネージャ１３５０は、他の基地局１０５との通信を管理し得、他の基地局１０５と協働してＵＥ１１５との通信を制御するためのコントローラまたはスケジューラを含み得る。たとえば、局間通信マネージャ１３５０は、ビームフォーミングまたはジョイント送信などの様々な干渉緩和技法のためのＵＥ１１５への送信のためのスケジューリングを協調させ得る。いくつかの例では、局間通信マネージャ１３５０は、基地局１０５間の通信を行うために、ＬＴＥ／ＬＴＥ−Ａワイヤレス通信ネットワーク技術内のＸ２インターフェースを与え得る。
【０１２６】
[0137]図１４は、本開示の１つまたは複数の態様による、ミニスロットによるＦＤＤ  ＨＡＲＱのための方法１４００を示すフローチャートを示す。方法１４００の動作は、本明細書で説明するＵＥ１１５または基地局１０５またはそれの構成要素によって実装され得る。たとえば、方法１４００の動作は、図９〜図１１を参照しながら説明した通信マネージャによって実行され得る。いくつかの例では、ＵＥ１１５または基地局１０５は、以下で説明する機能を実行するようにデバイスの機能要素を制御するためのコードのセットを実行し得る。追加または代替として、ＵＥ１１５または基地局１０５は、専用ハードウェアを使用して、以下で説明する機能の態様を実行し得る。
【０１２７】
[0138]ブロック１４０５において、ＵＥ１１５または基地局１０５は、受信デバイスとの通信に使用されるスロットの持続時間を特定し得る。ブロック１４０５の動作は、本明細書で説明する方法に従って実行され得る。いくつかの例では、ブロック１４０５の動作の態様は、図９〜図１１を参照しながら説明したようにスロット持続時間マネージャによって実施され得る。
【０１２８】
[0139]ブロック１４１０において、ＵＥ１１５または基地局１０５は、受信デバイスとの通信がＦＤＤ通信を備えると決定し得る。ブロック１４１０の動作は、本明細書で説明する方法に従って実行され得る。いくつかの例では、ブロック１４１０の動作の態様は、図９〜図１１を参照しながら説明したＦＤＤ通信マネージャによって実行され得る。
【０１２９】
[0140]ブロック１４１５において、ＵＥ１１５または基地局１０５は、スロットの第１の部分の間に受信デバイスに通信を送信し得、第１の部分の持続時間は、スロットの持続時間よりも短く、第１の部分の持続時間は、通信がＦＤＤ通信を備えるとの決定に少なくとも部分的に基づく。ブロック１４１５の動作は、本明細書で説明する方法に従って実行され得る。いくつかの例では、ブロック１４１５の動作の態様は、図９〜図１１を参照しながら説明した送信マネージャによって実行され得る。
【０１３０】
[0141]ブロック１４２０において、ＵＥ１１５または基地局１０５は、通信がＦＤＤ通信を備え、通信がスロットの第１の部分の間に送信されるとの決定に少なくとも部分的に基づいて、通信の間に使用すべきＨＡＲＱ方式を選択し得る。ブロック１４２０の動作は、本明細書で説明する方法に従って実行され得る。いくつかの例では、ブロック１４２０の動作の態様は、図９〜図１１を参照しながら説明したＨＡＲＱマネージャによって実行され得る。
【０１３１】
[0142]図１５は、本開示の１つまたは複数の態様による、ミニスロットによるＦＤＤ  ＨＡＲＱのための方法１５００を示すフローチャートを示す。方法１５００の動作は、本明細書で説明するＵＥ１１５または基地局１０５またはそれの構成要素によって実装され得る。たとえば、方法１５００の動作は、図９〜図１１を参照しながら説明した通信マネージャによって実行され得る。いくつかの例では、ＵＥ１１５または基地局１０５は、以下で説明する機能を実行するようにデバイスの機能要素を制御するためのコードのセットを実行し得る。追加または代替として、ＵＥ１１５または基地局１０５は、専用ハードウェアを使用して、以下で説明する機能の態様を実行し得る。
【０１３２】
[0143]ブロック１５０５において、ＵＥ１１５または基地局１０５は、受信デバイスとの通信に使用されるスロットの持続時間を特定し得る。ブロック１５０５の動作は、本明細書で説明する方法に従って実行され得る。いくつかの例では、ブロック１５０５の動作の態様は、図９〜図１１を参照しながら説明したスロット持続時間マネージャによって実施され得る。
【０１３３】
[0144]ブロック１５１０において、ＵＥ１１５または基地局１０５は、受信デバイスとの通信がＦＤＤ通信を備えると決定し得る。ブロック１５１０の動作は、本明細書で説明する方法に従って実行され得る。いくつかの例では、ブロック１５１０の動作の態様は、図９〜図１１を参照しながら説明したＦＤＤ通信マネージャによって実行され得る。
【０１３４】
[0145]ブロック１５１５において、ＵＥ１１５または基地局１０５は、スロットの第１の部分の間に受信デバイスに通信を送信し得、第１の部分の持続時間は、スロットの持続時間よりも短く、第１の部分の持続時間は、通信がＦＤＤ通信を含むとの決定に少なくとも部分的に基づく。ブロック１５１５の動作は、本明細書で説明する方法に従って実行され得る。いくつかの例では、ブロック１５１５の動作の態様は、図９〜図１１を参照しながら説明した送信マネージャによって実行され得る。
【０１３５】
[0146]ブロック１５２０において、ＵＥ１１５または基地局１０５は、通信がＦＤＤ通信を含み、通信がスロットの第１の部分の間に送信されるとの決定に少なくとも部分的に基づいて、通信の間に使用すべきＨＡＲＱ方式を選択し得る。ブロック１５２０の動作は、本明細書で説明する方法に従って実行され得る。いくつかの例では、ブロック１５２０の動作の態様は、図９〜図１１を参照しながら説明したＨＡＲＱマネージャによって実行され得る。
【０１３６】
[0147]ブロック１５２５において、ＵＥ１１５または基地局１０５は、スロットの第２の部分の間の通信のためのミニスロットを構成し得る。ブロック１５２５の動作は、本明細書で説明する方法に従って実行され得る。いくつかの例では、ブロック１５２５の動作の態様は、図９〜図１１を参照しながら説明したミニスロットマネージャによって実行され得る。
【０１３７】
[0148]図１６は、本開示の１つまたは複数の態様による、ミニスロットによるＦＤＤ  ＨＡＲＱのための方法１６００を示すフローチャートを示す。方法１６００の動作は、本明細書で説明するＵＥ１１５または基地局１０５またはそれの構成要素によって実装され得る。たとえば、方法１６００の動作は、図９〜図１１を参照しながら説明した通信マネージャによって実行され得る。いくつかの例では、ＵＥ１１５または基地局１０５は、以下で説明する機能を実行するようにデバイスの機能要素を制御するためのコードのセットを実行し得る。追加または代替として、ＵＥ１１５または基地局１０５は、専用ハードウェアを使用して、以下で説明する機能の態様を実行し得る。
【０１３８】
[0149]ブロック１６０５において、ＵＥ１１５または基地局１０５は、受信デバイスとの通信に使用されるスロットの持続時間を特定し得る。ブロック１６０５の動作は、本明細書で説明する方法に従って実行され得る。いくつかの例では、ブロック１６０５の動作の態様は、図９〜図１１を参照しながら説明したスロット持続時間マネージャによって実施され得る。
【０１３９】
[0150]ブロック１６１０において、ＵＥ１１５または基地局１０５は、受信デバイスとの通信がＦＤＤ通信を備えると決定し得る。ブロック１６１０の動作は、本明細書で説明する方法に従って実行され得る。いくつかの例では、ブロック１６１０の動作の態様は、図９〜図１１を参照しながら説明したＦＤＤ通信マネージャによって実行され得る。
【０１４０】
[0151]ブロック１６１５において、ＵＥ１１５または基地局１０５は、スロットの第１の部分の間に受信デバイスに通信を送信し得、第１の部分の持続時間は、スロットの持続時間よりも短く、第１の部分の持続時間は、通信がＦＤＤ通信を含むとの少なくとも部分的に決定に基づく。ブロック１６１５の動作は、本明細書で説明する方法に従って実行され得る。いくつかの例では、ブロック１６１５の動作の態様は、図９〜図１１を参照しながら説明した送信マネージャによって実行され得る。
【０１４１】
[0152]ブロック１６２０において、ＵＥ１１５または基地局１０５は、通信がＦＤＤ通信を含み、通信がスロットの第１の部分の間に送信されるとの決定に少なくとも部分的に基づいて、通信の間に使用すべきＨＡＲＱ方式を選択し得る。ブロック１６２０の動作は、本明細書で説明する方法に従って実行され得る。いくつかの例では、ブロック１６２０の動作の態様は、図９〜図１１を参照しながら説明したＨＡＲＱマネージャによって実行され得る。
【０１４２】
[0153]ブロック１６２５において、ＵＥ１１５または基地局１０５は、ＨＡＲＱ方式に少なくとも部分的に基づいて、スロットの第２の部分の間に受信デバイスからＨＡＲＱフィードバックメッセージを受信し得る。ブロック１６２５の動作は、本明細書で説明する方法に従って実行され得る。いくつかの例では、ブロック１６２５の動作の態様は、図９〜図１１を参照しながら説明したＨＡＲＱマネージャによって実行され得る。
【０１４３】
[0154]上記で説明した方法が可能な実装形態を表すこと、ならびに動作およびステップが並べ替えられるかあるいは別の様態で変更され得ること、ならびに他の実装形態が可能であることに留意されたい。さらに、本方法のうちの２つ以上からの態様が組み合わされ得る。
【０１４４】
[0155]本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００  Ｒｅｌｅａｓｅは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標）：Global System for Mobile Communications）などの無線技術を実装し得る。
【０１４５】
[0156]ＯＦＤＭＡシステムは、ウルトラモバイルブロードバンド（ＵＭＢ）、発展型ＵＴＲＡ（Ｅ−ＵＴＲＡ：Evolved UTRA）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications System）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標）：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術に使用され得る。ＬＴＥまたはＮＲシステムの態様について例として記載し得、ＬＴＥまたはＮＲの用語を説明の大部分において使用し得るが、本明細書で説明する技法はＬＴＥまたはＮＲ適用例を越えて適用可能である。
【０１４６】
[0157]本明細書で説明するそのようなネットワークを含む、ＬＴＥ／ＬＴＥ−Ａネットワークでは、発展型ノードＢ（ｅＮＢ）という用語は、概して、基地局を表すために使用され得る。本明細書で説明する１つまたは複数のワイヤレス通信システムは、異なるタイプのｅＮＢが様々な地理的領域にカバレージを与える、異種ＬＴＥ／ＬＴＥ−ＡまたはＮＲネットワークを含み得る。たとえば、各ｅＮＢ、次世代ノードＢ（ｇＮＢ）、または基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る。
【０１４７】
[0158]基地局は、基地トランシーバ局、無線基地局、アクセスポイント、無線トランシーバ、ノードＢ、ｅノードＢ（ｅＮＢ）、ｇＮＢ、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明された１つまたは複数のワイヤレス通信システムは、異なるタイプの基地局（たとえば、マクロセル基地局またはスモールセル基地局）を含み得る。本明細書で説明するＵＥは、マクロｅＮＢ、スモールセルｅＮＢ、ｇＮＢ、リレー基地局などを含む様々なタイプの基地局およびネットワーク機器と通信することが可能であり得る。異なる技術のための重複する地理的カバレージエリアがあり得る。
【０１４８】
[0159]マクロセルは、概して、比較的大きい地理的エリア（たとえば、半径数キロメートル）をカバーし、サービスに加入しているＵＥによるネットワークプロバイダとの無制限アクセスを可能にし得る。スモールセルは、マクロセルと同じかまたは異なる（たとえば、認可、無認可などの）周波数帯域で動作し得る、マクロセルと比較して低電力の基地局である。スモールセルは、様々な例によれば、ピコセル、フェムトセルおよびマイクロセルを含み得る。ピコセルは、たとえば、小さい地理的エリアをカバーし得る、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートする場合がある。
【０１４９】
[0160]本明細書で説明された１つまたは複数のワイヤレス通信システムは、同期動作または非同期動作をサポートし得る。同期動作の場合、基地局は、同様のフレームタイミングを有し得、異なる基地局からの送信は、近似的に時間的に整合され得る。非同期動作の場合、基地局は、異なるフレームタイミングを有し得、異なる基地局からの送信は、時間的に整合されないことがある。本明細書で説明した技法は、同期動作または非同期動作のいずれかのために使用され得る。
【０１５０】
[0161]本明細書で説明したダウンリンク送信は、順方向リンク送信と呼ばれることもあり、アップリンク送信は、逆方向リンク送信と呼ばれることもある。たとえば、図１のワイヤレス通信システム１００を含む、本明細書で説明する各通信リンクは、１つまたは複数のキャリアを含み得、ここで、各キャリアは、複数のサブキャリアからなる信号（たとえば、異なる周波数の波形信号）であり得る。
【０１５１】
[0162]添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。詳細な説明は、説明する技法の理解を与えるための具体的な詳細を含む。しかしながら、これらの技法は、これらの特定の詳細なしに実践され得る。いくつかの事例では、説明される例の概念を不明瞭にすることを回避するために、よく知られている構造およびデバイスはブロック図の形式で示される。
【０１５２】
[0163]添付の図では、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれにも適用可能である。
【０１５３】
[0164]本明細書で説明する情報および信号は、多種多様な技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１５４】
[0165]本明細書の開示に関して説明した様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１５５】
[0166]本明細書で説明された機能は、ハードウェア、プロセッサによって実行されるソフトウェア、ファームウェア、またはそれらの任意の組合せにおいて実装され得る。プロセッサによって実行されるソフトウェアで実装される場合、機能は、１つまたは複数の命令またはコードとして、コンピュータ可読媒体上に記憶されるか、あるいはコンピュータ可読媒体を介して送信され得る。他の例および実装形態は、本開示の範囲内および添付の特許請求の範囲内にある。たとえば、ソフトウェアの性質により、上記で説明される機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句が後置される項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。また、本明細書で使用される「に基づいて」という句は、条件の閉集合への参照として解釈されないものとする。たとえば、「条件Ａに基づいて」と記述する例示的なステップは、本開示の範囲から逸脱することなく条件Ａと条件Ｂとの両方に基づき得る。言い換えれば、本明細書で使用する「に基づいて」という句は、「に少なくとも部分的に基づいて」という句と同様に解釈されたい。
【０１５６】
[0167]コンピュータ可読媒体は、ある場所から別の場所へのコンピュータプログラムの転送を容易にする任意の媒体を含む、非一時的コンピュータ記憶媒体と通信媒体との両方を含む。非一時的記憶媒体は、汎用コンピュータまたは専用コンピュータによってアクセスすることができる任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備え得る。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（ｄｉｓｋ）およびディスク（ｄｉｓｃ）は、ＣＤ、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｃ）およびＢｌｕ−ｒａｙ（登録商標）ディスク（ｄｉｓｃ）を含み、ここで、ディスク（ｄｉｓｃ）は、通常、データを磁気的に再生し、ディスク（ｄｉｓｃ）は、データをレーザーで光学的に再生する。上記の組合せもコンピュータ可読媒体の範囲内に含まれる。
【０１５７】
[0168]本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されず、本明細書で開示される原理および新規の特徴に合致する最も広い範囲を与えられるべきである。
【図１】
2020523840.tif 000003
【図２】
2020523840.tif 000004
【図３】
2020523840.tif 000005
【図４】
2020523840.tif 000006
【図５】
2020523840.tif 000007
【図６】
2020523840.tif 000008
【図７】
2020523840.tif 000009
【図８】
2020523840.tif 000010
【図９】
2020523840.tif 000011
【図１０】
2020523840.tif 000012
【図１１】
2020523840.tif 000013
【図１２】
2020523840.tif 000014
【図１３】
2020523840.tif 000015
【図１４】
2020523840.tif 000016
【図１５】
2020523840.tif 000017
【図１６】
2020523840.tif 000018
【国際調査報告】
2020523840.tif 000019
2020523840.tif 000020